【事件の表示】
　特願２００８−１６２６５４「携帯情報通信装置とともに用いる外部入出力ユニット」拒絶査定不服審判事件〔平成２１年　１月　８日出願公開，特開２００９−５３５９〕について，次のとおり審決する。
【結　論】
　本件審判の請求は、成り立たない。
【理　由】
第１　手続きの経緯 
　 
　本願は，平成１７年１２月２１日（優先権主張平成１６年１２月２４日）に出願した特願２００６−２７７０６２号の一部を平成２０年６月２３日に新たな特許出願としたものであって，平成２１年４月６日付けで拒絶査定がなされ，これに対して同年７月１０日に拒絶査定に対する審判請求がなされるとともに，同日付けで手続補正がなされたものである。 
　 
　 
第２　平成２１年７月１０日付けの手続補正についての補正却下の決定 
　 
［補正却下の決定の結論］ 
　 
　平成２１年７月１０日付けの手続補正（以下，「本件補正」という。）を却下する。 
　 
　 
［補正却下の決定の理由］  
　 
（１）本件補正前の特許請求の範囲 
　本件補正前の特許請求の範囲の記載は，平成２０年１１月５日付け手続補正により補正された，次のとおりである。 
　 
「【請求項１】 
ユーザーがマニュアル操作によってデータを入力し，該入力データを後記データ処理手段へ送信する入力手段と； 
後記データ処理手段からデジタル信号を受信し，インターネットプロトコルに準拠した無線信号に変換して送信するとともに，インターネットプロトコルに準拠した無線信号を受信し，デジタル信号に変換の上，後記データ処理手段へ送信する無線通信手段と； 
後記データ処理手段を動作させるプログラムと後記データ処理手段で処理可能なデータファイルとを格納する記憶手段と； 
前記入力手段から受信した入力データと前記記憶手段に格納されたプログラムとに基づき，前記無線通信手段から受信したデジタル信号に必要な処理を行い，リアルタイムでデジタル表示信号を生成するか，又は，自らが処理可能なデータファイルとして前記記憶手段に一旦格納し，その後読み出した上で処理することによりデジタル表示信号を生成する表示信号生成手段と，該表示信号生成手段が生成したデジタル表示信号に対して必要な処理を行い，又は，該デジタル表示信号に基づいて必要な処理を行い，処理後のデジタル表示信号を送信する表示補助手段とを有するデータ処理手段と； 
画面を構成する各々の画素が駆動されることにより画像を表示するディスプレイパネルＡと，前記表示補助手段から受信したデジタル表示信号に基づき前記ディスプレイパネルＡの各々の画素を駆動するディスプレイ制御手段Ａとから構成されるディスプレイ手段と； 
を一体的に備え，単独でウェブブラウジング装置として使用可能な携帯情報通信装置であって， 
外部ディスプレイ手段を伴う周辺装置が接続され，該周辺装置に対して，前記表示補助手段から受信したデジタル表示信号に基づき，外部表示信号を送信するインターフェース手段Ａ１を一体的に備え， 
前記表示補助手段は，前記処理後のデジタル表示信号を，前記ディスプレイ制御手段Ａと前記インターフェース手段Ａの双方へ送信する，又は，前記ディスプレイ制御手段Ａと前記インターフェース手段Ａのいずれか一方へ振り分けて送信する機能を有する， 
ことを特徴とする携帯情報通信装置。 
　　【請求項２】 
前記無線通信手段と前記表示信号生成手段とが相俟って，インターネットに接続したウェブサーバから画像データを取得する機能を実現し， 
前記表示信号生成手段は，前記入力手段から受信した入力データと前記記憶手段に格納されたプログラムとに基づき，前記ウェブサーバから取得した画像データに必要な処理を行い，リアルタイムでデジタル表示信号を生成するか，又は，自らが処理可能な画像データファイルとして前記記憶手段に一旦格納し，その後読み出した上で処理することによりデジタル表示信号を生成する機能を有する， 
ことを特徴とする，請求項１に記載の携帯情報通信装置。 
　　【請求項３】 
ユーザーがマニュアル操作によってデータを入力し，該入力データを後記データ処理手段へ送信する入力手段と； 
アナログテレビ放送信号，デジタルテレビ放送信号，携帯テレビ電話信号のうちの少なくとも１つの無線信号（以下，テレビ信号と略記する）を受信し，デジタル動画信号に変換の上，前記データ処理手段へ送信する無線通信手段と； 
後記データ処理手段を動作させるプログラムと後記データ処理手段で処理可能なデータファイルとを格納する記憶手段と； 
前記入力手段から受信した入力データと前記記憶手段に格納されたプログラムとに基づき，前記無線通信手段から受信したデジタル動画信号に必要な処理を行い，リアルタイムでデジタル表示信号を生成するか，又は，自らが処理可能な画像データファイルとして前記記憶手段に一旦格納し，その後読み出した上で処理することによりデジタル表示信号を生成する表示信号生成手段と，該表示信号生成手段が生成したデジタル表示信号に対して必要な処理を行い，又は，該デジタル表示信号に基づいて必要な処理を行い，処理後のデジタル表示信号を送信する表示補助手段とを有するデータ処理手段と； 
画面を構成する各々の画素が駆動されることにより画像を表示するディスプレイパネルＡと，前記表示補助手段から受信したデジタル表示信号に基づき前記ディスプレイパネルＡの各々の画素を駆動するディスプレイ制御手段Ａとから構成されるディスプレイ手段と；を一体的に備え，単独でテレビ受像装置として使用可能な携帯情報通信装置であって，外部ディスプレイ手段を伴う周辺装置が接続され，該周辺装置に対して，前記表示補助手段から受信したデジタル表示信号に基づき，外部表示信号を送信するインターフェース手段Ａ１を一体的に備え， 
前記表示補助手段は，前記処理後のデジタル表示信号を，前記ディスプレイ制御手段Ａと前記インターフェース手段Ａの双方へ送信する，又は，前記ディスプレイ制御手段Ａと前記インターフェース手段Ａのいずれか一方へ振り分けて送信する機能を有する， 
ことを特徴とする携帯情報通信装置。 
　　【請求項４】 
ユーザーがマニュアル操作によってデータを入力し，該入力データを後記データ処理手段へ送信する入力手段と； 
被写体からの撮像光を受光してＣＣＤ，ＣＭＯＳセンサー等の撮像素子によって画素ごとの電気信号（以下，撮像電気信号と略記する）に変換し，該電気信号をさらにデジタル動画信号に変換の上，後記データ処理手段へ送信する撮像手段と； 
後記データ処理手段を動作させるプログラムと後記データ処理手段で処理可能なデータファイルとを格納する記憶手段と； 
前記入力手段から受信した入力データと前記記憶手段に格納されたプログラムとに基づき，前記撮像手段から受信したデジタル動画信号に必要な処理を行い，リアルタイムでデジタル表示信号を生成するか，又は，自らが処理可能な画像データファイルとして前記記憶手段に一旦格納し，その後読み出した上で処理することによりデジタル表示信号を生成する表示信号生成手段と，該表示信号生成手段が生成したデジタル表示信号に対して必要な処理を行い，又は，該デジタル表示信号に基づいて必要な処理を行い，処理後のデジタル表示信号を送信する表示補助手段とを有するデータ処理手段と； 
画面を構成する各々の画素が駆動されることにより画像を表示するディスプレイパネルＡと，前記表示補助手段から受信したデジタル表示信号に基づき前記ディスプレイパネルＡの各々の画素を駆動するディスプレイ制御手段Ａとから構成されるディスプレイ手段と；を一体的に備え，単独でデジタルビデオカメラ及び／又はデジタルカメラとして使用可能な携帯情報通信装置であって， 
外部ディスプレイ手段を伴う周辺装置が接続され，該周辺装置に対して，前記表示補助手段から受信したデジタル表示信号に基づき，外部表示信号を送信するインターフェース手段Ａ１を一体的に備え， 
前記表示補助手段は，前記処理後のデジタル表示信号を，前記ディスプレイ制御手段Ａと前記インターフェース手段Ａの双方へ送信する，又は，前記ディスプレイ制御手段Ａと前記インターフェース手段Ａのいずれか一方へ振り分けて送信する機能を有する， 
ことを特徴とする携帯情報通信装置。 
　　【請求項５】 
ユーザーがマニュアル操作によってデータを入力し，該入力データを後記データ処理手段へ送信する入力手段と； 
ＧＰＳ（Global Positioning System）衛星から送信される電波信号（以下，ＧＰＳ信号と略記する）を受信し，デジタルＧＰＳ信号に変換の上，後記データ処理手段へ送信する無線通信手段と； 
後記データ処理手段を動作させるプログラムと後記データ処理手段で処理可能なデータファイルとを格納する記憶手段と； 
前記入力手段から受信した入力データと前記記憶手段に格納されたプログラムとに基づき，前記無線通信手段から受信したデジタルＧＰＳ信号と地図情報を含む画像データとを処理することにより，自らの現在位置情報を含む地図画像（以下，自位置地図画像と略記する）のデジタル表示信号を生成する表示信号生成手段と，該表示信号生成手段が生成したデジタル表示信号に対して必要な処理を行い，又は，該デジタル表示信号に基づいて必要な処理を行い，処理後のデジタル表示信号を送信する表示補助手段とを有するデータ処理手段と； 
画面を構成する各々の画素が駆動されることにより画像を表示するディスプレイパネルＡと，前記表示補助手段から受信したデジタル表示信号に基づき前記ディスプレイパネルＡの各々の画素を駆動するディスプレイ制御手段Ａとから構成されるディスプレイ手段と；を一体的に備え，単独で自位置地図画像表示装置として使用可能な携帯情報通信装置であって， 
外部ディスプレイ手段を伴う周辺装置が接続され，該周辺装置に対して，前記表示補助手段から受信したデジタル表示信号に基づき，外部表示信号を送信するインターフェース手段Ａ１を一体的に備え， 
前記表示補助手段は，前記処理後のデジタル表示信号を，前記ディスプレイ制御手段Ａと前記インターフェース手段Ａの双方へ送信する，又は，前記ディスプレイ制御手段Ａと前記インターフェース手段Ａのいずれか一方へ振り分けて送信する機能を有する， 
ことを特徴とする携帯情報通信装置。 
　　【請求項６】 
前記データ処理手段は，以下の（１）〜（３）の少なくともいずれか一つの機能を有し，前記インターフェース手段Ａ１は，前記データ処理手段から受信した高解像度画像（解像度が前記ディスプレイパネルＡの画面解像度より大きい画像）のデジタル表示信号に基づき，高解像度画像の外部表示信号を送信する機能を有する， 
ことを特徴とする，請求項２乃至５のいずれか一項に記載の携帯情報通信装置。 
（１）前記画像データ，前記テレビ信号，前記撮像電気信号，前記「地図情報を含む画像データ」又は前記画像データファイルの本来解像度が前記ディスプレイパネルＡの画面解像度より大きい場合に，「前記画像データ，前記テレビ信号，前記撮像電気信号，前記『地図情報を含む画像データ』又は前記画像データファイルの本来画像」のデジタル表示信号を生成し，前記インターフェース手段Ａ１へ送信する機能 
（２）前記画像データ，前記テレビ信号，前記撮像電気信号，前記「地図情報を含む画像データ」又は前記画像データファイルの本来解像度が前記ディスプレイパネルＡの画面解像度より大きい場合に，「前記画像データ，前記テレビ信号，前記撮像電気信号，前記『地図情報を含む画像データ』又は前記画像データファイルの本来画像から画素が間引かれているが，解像度は前記ディスプレイパネルＡの画面解像度より大きい画像」のデジタル表示信号を生成し，前記インターフェース手段Ａ１へ送信する機能 
（３）前記画像データ，前記テレビ信号，前記撮像電気信号，前記「地図情報を含む画像データ」又は前記画像データファイルの本来解像度が前記ディスプレイパネルＡの画面解像度を上回らない場合に，「前記画像データ，前記テレビ信号，前記撮像電気信号，前記『地図情報を含む画像データ』又は前記画像データファイルの本来画像に画素を補間することによって，解像度を前記ディスプレイパネルＡの画面解像度より大きくした画像」のデジタル表示信号を生成し，前記インターフェース手段Ａ１へ送信する機能 
　　【請求項７】 
外部入力手段を伴う周辺装置が接続され，該周辺装置から外部入力データを受信し，必要な変換をした上で前記データ処理手段へ送信するインターフェース手段Ａ２を一体的に備え， 
前記表示信号生成手段は，前記インターフェース手段Ａ２経由で受信した外部入力データと前記記憶手段に格納されたプログラムとに基づき，前記無線通信手段から受信したデジタル信号，前記ウェブサーバから取得した画像データ，前記無線通信手段から受信したデジタル動画信号，前記撮像手段から受信したデジタル動画信号，又は，前記無線通信手段から受信したデジタルＧＰＳ信号と地図情報を含む画像データに必要な処理を行い，リアルタイムでデジタル表示信号を生成するか，又は，自らが処理可能なデータファイルとして前記記憶手段に一旦格納し，その後読み出した上で処理することによりデジタル表示信号を生成する機能を有する， 
ことを特徴とする，請求項１乃至６のいずれか一項に記載の携帯情報通信装置。 
　　【請求項８】 
外部記憶手段を伴う周辺装置が接続され，該外部記憶手段との間でデータのやり取りを行うためのインターフェース手段Ａ３を一体的に備え， 
前記データ処理手段は，該外部記憶装置にアクセスしてデータを書き込む機能及び／又はデータを読み出す機能を有する， 
ことを特徴とする，請求項７に記載の携帯情報通信装置。 
　　【請求項９】 
内蔵充電池と， 
該内蔵充電池に充電するための充電用端子ＡＣと， 
を備えることを特徴とする，請求項７又は８に記載の携帯情報通信装置。 
　　【請求項１０】 
請求項７に記載の携帯情報通信装置とともに使用され， 
該携帯情報通信装置と「外部ディスプレイ装置及び外部入力装置」との間で，「外部入力データ及び該外部入力データに従って生成された外部表示信号」のやり取りを媒介する接続ユニットであって， 
該携帯情報通信装置のインターフェース手段Ａ１と接続され，該インターフェース手段Ａ１から外部表示信号を受信し，必要な変換をした上で後記インターフェース手段Ｃ１へ送信するインターフェース手段Ｂ１と； 
該携帯情報通信装置のインターフェース手段Ａ２と接続され，該インターフェース手段Ａ２に対して，後記インターフェース手段Ｃ２経由で受信した外部入力データを必要な変換をした上で送信するインターフェース手段Ｂ２と； 
外部ディスプレイ装置が接続され，該外部ディスプレイ装置に対して，前記インターフェース手段Ｂ１経由で受信した外部表示信号を必要な変換をした上で送信するインターフェース手段Ｃ１と； 
外部入力装置が接続され，該外部入力装置から外部入力データを受信し，必要な変換をした上で前記インターフェース手段Ｂ２へ送信するインターフェース手段Ｃ２と； 
を一体的に備える， 
ことを特徴とする接続ユニット。 
　　【請求項１１】 
請求項７に記載の携帯情報通信装置と； 
請求項１０に記載の接続ユニットと， 
から構成され， 
「インターフェース部Ａ１とインターフェース部Ｂ１」と「インターフェース部Ａ２とイ 
ンターフェース部Ｂ２」とが，以下の（Ａ）又は（Ｂ）の方法で接続される， 
ことを特徴とするコンピュータシステム。 
（Ａ）インターフェース部Ａ１の端子部とインターフェース部Ａ２の端子部とが一体的な端子部Ａを形成し，インターフェース部Ｂ１の端子部とインターフェース部Ｂ２の端子部とが一体的な端子部Ｂを形成し，該端子部Ａと該端子部Ｂとが，直接の接触又は有線接続で接続される 
（Ｂ）「インターフェース部Ａ１とインターフェース部Ｂ１」と「インターフェース部Ａ２とインターフェース部Ｂ２」とが，それぞれ別個に，端子部の直接の接触，端子部の有線接続，又は，無線通信で接続される 
　　【請求項１２】 
請求項８に記載の携帯情報通信装置とともに使用され， 
該携帯情報通信装置と「外部ディスプレイ装置及び外部入力装置」との間で，「外部入力データ及び該外部入力データに従って生成された外部表示信号」のやり取りを媒介する接続ユニットであって， 
後記インターフェース手段Ｂ３経由でデータの書き込み及び／又は読み出しが行われる外部記憶手段と； 
該携帯情報通信装置のインターフェース手段Ａ３と接続され，前記外部記憶手段との間でデータがやり取りされるインターフェース手段Ｂ３と； 
を一体的に備える， 
ことを特徴とする，請求項１０に記載の接続ユニット。 
　　【請求項１３】 
請求項９に記載の携帯情報通信装置とともに使用され， 
該携帯情報通信装置と「外部ディスプレイ装置及び外部入力装置」との間で，「外部入力データ及び該外部入力データに従って生成された外部表示信号」のやり取りを媒介する接続ユニットであって， 
直流電力供給手段と； 
前記充電用端子ＡＣと接続され，前記直流電力供給手段からの直流電力を前記内蔵充電池に供給する充電用端子ＢＣと； 
を一体的に備える， 
ことを特徴とする，請求項１０又は１２に記載の接続ユニット。 
　　【請求項１４】 
前記インターフェース手段Ｂ１経由で受信した外部表示信号を，前記インターフェース手段Ｃ１に接続された外部ディスプレイ装置の画面解像度及び／又は走査方式に適合した表示信号に変換するスキャンコンバート手段を備えたことを特徴とする，請求項１０，１２又は１３に記載の接続ユニット。 
　　【請求項１５】 
請求項７に記載の携帯情報通信装置とともに使用され， 
該携帯情報通信装置との間で，「外部入力データ及び該外部入力データに従って生成された外部表示信号」のやり取りを行う外部入出力ユニットであって， 
ユーザーがマニュアル操作によってデータを入力し，該外部入力データを後記インターフェース手段Ｄ２へ送信する外部入力手段と； 
画面を構成する各々の画素が駆動されることにより画像を表示するディスプレイパネルＤと，後記インターフェース手段Ｄ１経由で受信した外部表示信号に基づき前記ディスプレイパネルＤの各々の画素を駆動するディスプレイ制御手段Ｄとから構成される外部ディスプレイ手段と； 
前記携帯情報通信装置のインターフェース手段Ａ１と接続され，該インターフェース手段Ａ１から外部表示信号を受信し，必要な変換をした上で前記ディスプレイ制御手段Ｄへ送信するインターフェース手段Ｄ１と； 
前記携帯情報通信装置のインターフェース手段Ａ２と接続され，該インターフェース手段Ａ２に対して，前記外部入力手段から受信した外部入力データを必要な変換をした上で送 
信するインターフェース手段Ｄ２と； 
を一体的に備える， 
ことを特徴とする外部入出力ユニット。 
　　【請求項１６】 
請求項７に記載の携帯情報通信装置と； 
請求項１５に記載の外部入出力ユニットと， 
から構成され， 
「インターフェース部Ａ１とインターフェース部Ｄ１」と「インターフェース部Ａ２とインターフェース部Ｄ２」とが，以下の（Ａ’）又は（Ｂ’）の方法で接続される， 
ことを特徴とするコンピュータシステム。 
（Ａ’）インターフェース部Ａ１の端子部とインターフェース部Ａ２の端子部とが一体的な端子部Ａを形成し，インターフェース部Ｄ１の端子部とインターフェース部Ｄ２の端子部とが一体的な端子部Ｄを形成し，該端子部Ａと該端子部Ｄとが，直接の接触又は有線接続で接続される 
（Ｂ’）「インターフェース部Ａ１とインターフェース部Ｄ１」と「インターフェース部Ａ２とインターフェース部Ｄ１」とが，それぞれ別個に，端子部の直接の接触，端子部の有線接続，又は，無線通信で接続される 
　　【請求項１７】 
請求項８に記載の携帯情報通信装置とともに使用され， 
該携帯情報通信装置との間で，「外部入力データ及び該外部入力データに従って生成された外部表示信号」のやり取りを行う外部入出力ユニットであって， 
後記インターフェース手段Ｄ３経由でデータの書き込み及び／又は読み出しが行われる外部記憶手段Ｄと； 
前記携帯情報通信装置のインターフェース手段Ａ３と接続され，前記外部記憶手段Ｄとの間でデータのやり取りを行うインターフェース手段Ｄ３と； 
を一体的に備える， 
ことを特徴とする，請求項１５に記載の外部入出力ユニット。 
　　【請求項１８】 
請求項９に記載の携帯情報通信装置とともに使用され， 
該携帯情報通信装置との間で，「外部入力データ及び該外部入力データに従って生成された外部表示信号」のやり取りを行う外部入出力ユニットであって， 
直流電力供給手段と； 
前記充電用端子ＡＣと接続され，前記直流電力供給手段からの直流電力を前記内蔵充電池に供給する充電用端子ＤＣと； 
を一体的に備える， 
ことを特徴とする，請求項１５又は１７に記載の外部入出力ユニット。 
　　【請求項１９】 
前記インターフェース手段Ｄ１と前記ディスプレイ制御手段Ｄとが相俟って，該インターフェース手段Ｄ１経由で受信した外部表示信号を，前記ディスプレイパネルＤの画面解像度及び／又は走査方式に適応した表示信号に変換するマルチスキャン機能を実現することを特徴とする，請求項１５，１７又は１８のいずれか一項に記載の外部入出力ユニット。 
　　【請求項２０】 
前記外部ディスプレイ手段が，ユーザーが該外部ディスプレイ手段を構成するディスプレイパネルＤの表面を接触することによってデータを入力することのできるタッチパネル機能を有することを特徴とする，請求項１５，又は，１７乃至１９のいずれか一項に記載の外部入出力ユニット。 
　　【請求項２１】 
前記インターフェース手段Ｄ１を構成する回路と，前記インターフェース手段Ｄ２を構成する回路とを一体的な筐体の内部に納め，さらに，前記外部記憶手段Ｄと前記インターフェース手段Ｄ３とを備えた場合には，該外部記憶手段Ｄと該インターフェース手段Ｄ３を 
構成する回路も該筐体の内部に納め， 
該筐体の天面には外部入力手段を構成するキーを配置し， 
該筐体の側面又は底面には，インターフェース手段Ｄ１を構成する端子部又は無線受信部と，インターフェース手段Ｄ２を構成する端子部又は無線受信部とを配置し，さらに，前記インターフェース手段Ｄ３を備えた場合には該インターフェース手段Ｄ３を構成する端子部又は無線受信部も配置するとともに， 
前記ディスプレイパネルＤを該筐体にヒンジ等で接続したことを特徴とする，請求項１５，又は，請求項１７乃至２０のいずれか一項に記載の外部入出力ユニット。 
　　【請求項２２】 
前記インターフェース手段Ｄ１を構成する回路と，前記インターフェース手段Ｄ２を構成する回路とを一体的な筐体の内部に納め，さらに，前記外部記憶手段Ｄと前記インターフェース手段Ｄ３とを備えた場合には，該外部記憶手段Ｄと該インターフェース手段Ｄ３を構成する回路も該筐体の内部に納め， 
該筐体の天面にはディスプレイパネルＤを配置し， 
該筐体の側面又は底面には，インターフェース手段Ｄ１を構成する端子部又は無線受信部と，インターフェース手段Ｄ２を構成する端子部又は無線受信部とを配置し，さらに，前記インターフェース手段Ｄ３を備えた場合には該インターフェース手段Ｄ３を構成する端子部又は無線受信部も配置するとともに， 
該筐体の天面における前記ディスプレイパネルＤの額縁部には外部入力手段を構成するキーを配置したことを特徴とする，請求項１５，又は，請求項１７乃至２０のいずれか一項に記載の外部入出力ユニット。」 
　 
（２）本件補正後の請求項１ 
　本件補正後の請求項１の記載は，次のとおりである。 
　 
「【請求項１】 
ユーザーがマニュアル操作によって入力したデータを後記データ処理手段に送信する入力手段と， 
前記入力手段から送信されたデータに基づき，デジタル表示信号を生成して送信するデータ処理手段と， 
画面を構成する各々の画素が駆動されることにより画像を表示するディスプレイパネルＡと，前記データ処理手段から受信したデジタル表示信号に基づき前記ディスプレイパネルＡの各々の画素を駆動するディスプレイ制御手段Ａとから構成されるディスプレイ手段と， 
外部ディスプレイ手段を備えるか，又は，外部ディスプレイ手段を接続するかする周辺装置を接続し，該周辺装置に対して，前記データ処理手段から受信したデジタル表示信号に基づき，外部表示信号を送信するインターフェース手段Ａ１と， 
外部入力手段を備えるか，又は，外部入力手段を接続するかする周辺装置を接続し，外部入力データを受信し，必要であれば変換を行った上で，前記データ処理手段に送信するインターフェース手段Ａ２と， 
を備えるとともに， 
前記データ処理手段と前記インターフェース手段Ａ１とが相俟って，該インターフェース手段Ａ１から外部表示信号を送信する機能を実現し， 
前記データ処理手段は，前記インターフェース手段Ａ２から受信したデータを処理する機能を有する， 
ことを特徴とする携帯情報通信装置とともに用いる外部入出力ユニットであって， 
ユーザーがマニュアル操作によって入力した外部入力データを後記インターフェース手段Ｄ２に送信する外部入力手段と， 
画面を構成する各々の画素が駆動されることにより画像を表示するディスプレイパネルＤと，後記インターフェース手段Ｄ１経由で受信した外部表示信号に基づき前記ディスプレイパネルＤの各々の画素を駆動するディスプレイ制御手段Ｄとから構成される外部ディスプレイ手段と， 
前記携帯情報通信装置のインターフェース手段Ａ１と接続され，該インターフェース手段Ａ１から外部表示信号を受信するインターフェース手段Ｄ１と， 
前記携帯情報通信装置のインターフェース手段Ａ２と接続され，該インターフェース手段Ａ２に外部入力データを送信するインターフェース手段Ｄ２と， 
を備えたことを特徴とする外部入出力ユニット。」 
　 
（３）本件補正の適否 
　本件補正は，平成１８年法律第５５号改正附則第３条第１項によりなお従前の例によるとされる同法による改正前の特許法第１７条の２第１項第４号の規定に基づきされたものと認められ，当該規定については，同条第４項本文により同項各号に掲げる事項，すなわち，
１．　第３６条第５項に規定する請求項の削除
２．　特許請求の範囲の減縮（第３６条第５項の規定により請求項に記載した発明を特定するために必要な事項を限定するものであつて，その補正前の当該請求項に記載された発明とその補正後の当該請求項に記載される発明の産業上の利用分野及び解決しようとする課題が同一であるものに限る。）
３．　誤記の訂正
４．　明りようでない記載の釈明（拒絶理由通知に係る拒絶の理由に示す事項についてするものに限る。）
を目的とするものに限られているので，以下本件補正について検討する。
　
（３−１）特許請求の範囲の減縮に該当するか否かの判断 
　 
（３−１−１）本件補正前の請求項１５についての補正 
　本件補正のうち，補正後の請求項１の記載を上記「（２）本件補正後の請求項１」のとおりとする部分（以下，「補正１」という。）は，本件補正前のいずれの請求項を補正したのか不明であるので，最初に補正前の請求項１５を補正したものであるとすると，補正１は，少なくとも，補正前の「前記携帯情報通信装置のインターフェース手段Ａ１と接続され，該インターフェース手段Ａ１から外部表示信号を受信し，必要な変換をした上で前記ディスプレイ制御手段Ｄへ送信するインターフェース手段Ｄ１」を「前記携帯情報通信装置のインターフェース手段Ａ１と接続され，該インターフェース手段Ａ１から外部表示信号を受信するインターフェース手段Ｄ１」と変更し，補正前の「前記携帯情報通信装置のインターフェース手段Ａ２と接続され，該インターフェース手段Ａ２に対して，前記外部入力手段から受信した外部入力データを必要な変換をした上で送信するインターフェース手段Ｄ２」を「前記携帯情報通信装置のインターフェース手段Ａ２と接続され，該インターフェース手段Ａ２に外部入力データを送信するインターフェース手段Ｄ２」と変更するとともに，補正前の外部入出力ユニットが，外部入力手段と，外部ディスプレイ手段と，インターフェース手段Ｄ１と，インターフェース手段Ｄ２とを備える形態が，「一体的」である点を削除するものであるから，補正１は，補正前の請求項１５に係る発明を特定するために必要な事項を限定するものではない。 
　 
（３−１−２）本件補正前の請求項１６〜２１についての補正 
　次に，補正１は補正前の請求項１６〜２１のいずれか１項を補正したものであるとすると，補正前の請求項１６〜２１の記載はいずれも，補正前の請求項１５の記載を引用しているから，上記「（３−１−１）」で指摘した内容と同じ理由により，補正１は，補正前の請求項１６〜２１のいずれか１項に係る発明を特定するために必要な事項を限定するものではない。 
　 
（３−１−３）本件補正前の請求項１〜９についての補正 
　補正前の請求項１における「周辺装置」は，携帯情報通信装置のインターフェース手段から外部表示信号を送信される点において，補正後の請求項１における「外部入出力ユニット」と対応するものの，補正前の請求項１記載の周辺装置と接続される携帯情報通信装置が，少なくとも「後記データ処理手段からデジタル信号を受信し，インターネットプロトコルに準拠した無線信号に変換して送信するとともに，インターネットプロトコルに準拠した無線信号を受信し，デジタル信号に変換の上，後記データ処理手段へ送信する無線通信手段」を備えているのに対して，補正後の請求項１記載の携帯情報通信装置は当該無線通信手段を備えていない。 
　そして，当該無線通信手段の有無によって，携帯情報通信装置のインターフェース手段から，周辺装置または外部入出力ユニットへ送信される外部表示信号の内容は異なるものと解されるから，補正後の請求項１に記載された「外部入出力ユニット」は，補正前の請求項１に記載された「周辺装置」を限定したものとはいえず，補正１は，補正前の請求項１，並びにこれを引用した請求項２及び６，のいずれか１項に係る発明を特定するために必要な事項を限定するものではない。 
　また，補正後の請求項１に記載された携帯情報通信装置は，補正前の請求項３に記載された「無線通信手段」，補正前の請求項４に記載された「撮像手段」，補正前の請求項５に記載された「無線通信手段」を備えていないから，補正１は，補正前の請求項３〜５，及びこれらを引用した請求項６〜９，のいずれか１項に係る発明を特定するために必要な事項を限定するものではない。 
　 
(３−１−４)本件補正前の請求項１０〜１４についての補正 
　補正前の請求項１０における「接続ユニット」は，携帯情報通信装置のインターフェース手段から外部表示信号を受信するインターフェース手段を備える点において，補正後の請求項１における「外部入出力ユニット」と対応するものの，当該受信インターフェース手段について，補正前の請求項１０記載のものは「インターフェース手段Ａ１から外部表示信号を受信し，必要な変換をした上で後記インターフェース手段Ｃ１へ送信する」のに対して，補正後の請求項１記載のものは，単に「インターフェース手段Ａ１から外部表示信号を受信する」ものであるから，補正後の請求項１に記載された「インターフェース手段Ｄ１」は，補正前の請求項１０に記載された「インターフェース手段Ｂ１」を限定したものとはいえず，補正１は，補正前の請求項１０，及びこれを引用した請求項１１〜１４，のいずれか１項に係る発明を特定するために必要な事項を限定するものではない。 
　 
（３−１−５）まとめ 
　よって，本件補正後の請求項１に記載された内容は，本件補正前の請求項１〜２２のいずれを限定したものでもないから，補正１は，特許請求の範囲の減縮を目的とするものに該当しない。 
　 
（３−２）その他の目的に該当するか否かの判断
　補正１は，請求項の削除，誤記の訂正，または明りようでない記載の釈明のいずれをも目的としたものでないことは明らかである。  
　 
（３−３）補正の適否についてのむすび
　したがって，本件補正は，平成１８年法律第５５号改正附則第３条第１項によりなお従前の例によるとされる同法による改正前の特許法第１７条の２第４項の規定に違反するので，同法第１５９条第１項において読み替えて準用する同法第５３条第１項の規定により却下すべきものである。  
　 
　 
第３　本願の請求項１に係る発明 
　 
　平成２１年７月１０日付けの手続補正は，上記のとおり却下されたので，本願の請求項１に係る発明（以下，「本願発明」という。）は，平成２０年１１月５日付け手続補正により補正された特許請求の範囲の請求項１に記載された事項により特定される，次のとおりのものである。 
　 
「ユーザーがマニュアル操作によってデータを入力し，該入力データを後記データ処理手段へ送信する入力手段と； 
後記データ処理手段からデジタル信号を受信し，インターネットプロトコルに準拠した無線信号に変換して送信するとともに，インターネットプロトコルに準拠した無線信号を受信し，デジタル信号に変換の上，後記データ処理手段へ送信する無線通信手段と； 
後記データ処理手段を動作させるプログラムと後記データ処理手段で処理可能なデータファイルとを格納する記憶手段と； 
前記入力手段から受信した入力データと前記記憶手段に格納されたプログラムとに基づき，前記無線通信手段から受信したデジタル信号に必要な処理を行い，リアルタイムでデジタル表示信号を生成するか，又は，自らが処理可能なデータファイルとして前記記憶手段に一旦格納し，その後読み出した上で処理することによりデジタル表示信号を生成する表示信号生成手段と，該表示信号生成手段が生成したデジタル表示信号に対して必要な処理を行い，又は，該デジタル表示信号に基づいて必要な処理を行い，処理後のデジタル表示信号を送信する表示補助手段とを有するデータ処理手段と； 
画面を構成する各々の画素が駆動されることにより画像を表示するディスプレイパネルＡと，前記表示補助手段から受信したデジタル表示信号に基づき前記ディスプレイパネルＡの各々の画素を駆動するディスプレイ制御手段Ａとから構成されるディスプレイ手段と； 
を一体的に備え，単独でウェブブラウジング装置として使用可能な携帯情報通信装置であって， 
外部ディスプレイ手段を伴う周辺装置が接続され，該周辺装置に対して，前記表示補助手段から受信したデジタル表示信号に基づき，外部表示信号を送信するインターフェース手段Ａ１を一体的に備え， 
前記表示補助手段は，前記処理後のデジタル表示信号を，前記ディスプレイ制御手段Ａと前記インターフェース手段Ａ１の双方へ送信する，又は，前記ディスプレイ制御手段Ａと前記インターフェース手段Ａ１のいずれか一方へ振り分けて送信する機能を有する， 
ことを特徴とする携帯情報通信装置。」 
　 
　なお，上記「第２　（１）本件補正前の特許請求の範囲」で引用した【請求項１】には，「前記インターフェース手段Ａ」と記載されているが，当該記載よりも前に記載されたインターフェース手段は，「インターフェース手段Ａ１」のみであるから，当該記載は誤記であって「前記インターフェース手段Ａ１」を意味するものと認め，本願発明を上記のように認定した。 
　 
　 
第４　刊行物に記載された発明 
　 
　原査定の拒絶の理由に引用された，本願優先日前に頒布された特開２００２−３１４６４６号公報（平成１４年１０月２５日公開，以下「刊行物」という。）には，図面とともに以下のような記載がある。 
　 
（ア）「【請求項１】電話網を介して通話可能な電話機であって， 
テレビジョン受像機と接続するためのジャック端子， 
少なくともメモリダイアル情報を含む入力情報を入力するために用いられ，操作キーを含む情報入力手段， 
前記入力情報を記憶する入力情報メモリ， 
前記入力情報の入力を指示する画面に対応する画面データを記憶する画面データメモリ， 
前記画面データメモリから前記画面データを読み出し，画像処理を施して，前記テレビジョン受像機の画面に表示するためのビデオ信号を生成する画像処理手段，および前記ビデオ信号を前記ジャック端子に出力するビデオ信号出力手段を備える，電話機。 
【請求項２】前記電話網を介してデータ通信を行う通信手段，および前記通信手段によって取得され，少なくともテキストデータおよび画像データを含むコンテンツ情報と電子メールとを記憶する通信データメモリをさらに備え， 
前記画像処理手段は，前記コンテンツ情報および前記電子メールを前記テレビジョン受像機の画面に出力するためのビデオ信号を生成する，請求項１記載の電話機。 
【請求項３】前記ビデオ信号を前記ジャック端子に出力するモードと出力しないモードとを切り換える切換手段をさらに備える，請求項１または２記載の電話機。」（【請求項１】〜【請求項３】） 
　 
（イ）「【０００１】 
【産業上の利用分野】この発明は電話機に関し，特にたとえば電話網を介して通話可能な携帯電話端末或いは固定電話端末に適用される，電話機に関する。」（段落【０００１】） 
　 
（ウ）「【００１０】また，切換手段がテレビジョン受像機に画面データを出力するモード（出力モード）と出力しないモードとを切り換えるので，出力モードが設定されたときに，選択画面，編集画面に対応する画面データを画像処理した結果であるビデオ信号がジャック端子に出力される。或いは，コンテンツ情報や電子メールを画像処理した結果であるビデオ信号がジャック端子に出力される。つまり，文章や画像をテレビジョン受像機の画面に表示することができる。また，コンテンツ情報を加工，修正或いは削除したり，電子メールを作成したりすることもできる。一方，出力しないモードが設定されているとき，すなわち出力モードが設定されていないときには，選択画面，編集画面，コンテンツ情報および電子メールは，それぞれ，電話機に設けられたＬＣＤパネルに表示される。」（段落【００１０】） 
　 
（エ）「【００１６】 
【実施例】図１を参照して，この実施例の電話機１０は筐体１２を含み，筐体１２には操作キーとしてのキースイッチ１４が設けられる。具体的には，キースイッチ１４は，ダイアルキー１４ａ，通話キー１４ｂ，切断キー１４ｃ，カーソルキー１４ｄ，モード切換キー１４ｅおよび決定キー１４ｆを含む。カーソルキー１４ｄは，筐体１２の略中央に設けられ，カーソルキー１４ｄの上側にモード切換キー１４ｅおよび決定キー１４ｆが並んで設けられる。また，カーソルキー１４ｄの下側に通話キー１４ｂおよび切断キー１４ｃが並んで設けられ，さらに下側にダイアルキー１４ａが設けられる。 
【００１７】また，電話機１０はＬＣＤパネル１６を含み，ＬＣＤパネル１６は筐体１２の表面であり，キースイッチ１４の上側に設けられる。このＬＣＤパネル１６の上側には通話用のスピーカ１８ａが設けられ，キースイッチ１４の下側には通話用のマイク２０が設けられる。 
【００１８】なお，図示は省略するが，着信メロディやダウンロードした音楽を出力するためのスピーカ１８ｂが筐体１２の裏面，たとえば，ＬＣＤパネル１６の反対側に設けられる。 
【００１９】さらに，電話機１０はアンテナ２２およびＡＶジャック端子２４を含み，アンテナ２２は筐体１２の上部に設けられ，ＡＶジャック端子２４は筐体１２の下部側面に設けられる。したがって，図１に示すように，電話機１０は，ＡＶケーブル２６を用いて家庭用のテレビジョン受像機（ＴＶ受像機）２８に接続できる。 
【００２０】この電話機１０の電気的な構成（電気回路）は，図２のように示される。具体的には，電話機１０はＲＦ処理回路３０を含み，ＲＦ処理回路３０にはアンテナ２２が接続される。また，ＲＦ処理回路３０にはベースバンド処理回路３２が接続され，このベースバンド処理回路３２は，音声コーデックＩＣ３４を介してスピーカ１８ａおよびマイク２０に接続されるとともに，ＡＳＩＣ−ＣＰＵ（以下，単に「ＣＰＵ」という。）３６に接続される。 
【００２１】ＣＰＵ３６には，ＲＯＭ４０，ＲＡＭ４２およびメモリ４４がそれぞれ接続される。ＲＯＭ４０は，マスクＲＯＭ或いはフラッシュＥＥＰＲＯＭのようなＲＯＭであり，このＲＯＭ４０には，ＣＰＵ３６で実行されるプログラム（内蔵プログラム），ＬＣＤパネル１６に表示する複数の画面に対応するグラフィックデータ（画面データ）およびスピーカ１８ｂから出力する複数の音楽（着信メロディを含む。）に対応するサウンドデータ（音楽データ）が予め記憶（格納）される。 
【００２２】また，ＲＡＭ４２は，ＤＲＡＭ或いはＳＲＡＭのような揮発性のメモリであり，ＣＰＵ３６のワーキングメモリ或いはバッファメモリとして使用される。さらに，メモリ４４は，フラッシュＥＥＰＲＯＭ或いはバッテリバックアップされたＳＲＡＭのようなメモリであり，メモリダイアル情報，ダウンロードしたコンテンツ情報，電子メールおよび電話機１０の機能設定などの様々な情報を記憶する。 
【００２３】ここで，メモリダイアル情報とは，通話相手或いは通信相手の氏名，電話番号および電子メールアドレスをいう。また，コンテンツ情報とは，音楽データ，画像データ，テキストデータやアプリケーションプログラムなどをいう。 
【００２４】さらに，ＣＰＵ３６にはメロディＩＣ４６，ＬＣＤドライバＩＣ４８およびキースイッチ１４が接続される。メロディＩＣ４６は，ＣＰＵ３６の指示の下，スピーカ１８ｂを駆動し，着信メロディを再生したり，内蔵プログラム実行時における音楽／音声を再生したり，コンテンツ情報の表示或いは実行時における音楽／音声を再生したりする。 
【００２５】また，ＬＣＤドライバＩＣ４８は，ＣＰＵ３６の指示の下，ＬＣＤパネル１６を駆動し，ＬＣＤパネル１６に文字，図形，記号或いは画像などを表示する。 
【００２６】さらに，キースイッチ１４の操作に応じた操作信号がＣＰＵ３６に与えられ，この操作信号に応じてＣＰＵ３６が各種処理を実行する。」（段落【００１６】〜【００２６】） 
　 
（オ）「【００３４】また，電話機１０では，モード切換キー１４ｅを操作すると，ＣＰＵ３６は，ｉモードのようなインターネット接続モードを設定する。続いて，ＣＰＵ３６は，ＲＯＭ４０からインターネット接続モードのメニュー画面（図示せず）に対応する画面データを読み出し，ＲＡＭ４２を用いて展開した後，ＬＣＤドライバＩＣ４８を駆動する。すると，ＬＣＤパネル１６にインターネット接続モードのメニュー画面が表示される。 
【００３５】たとえば，メニュー画面では，メモリ４４に登録してあるＷＷＷサイトのＵＲＬアドレス（以下，「ＵＲＬ」という。）を選択したり，ＵＲＬを直接入力したりする入力方法を選択することができる。ユーザが，キースイッチ１４を用いてＵＲＬを入力し，たとえば，通話キー１４ｂを操作すると，ＣＰＵ３６は入力されたＵＲＬに対応するデータ（ＵＲＬデータ）をベースバンド処理回路３２およびＲＦ処理回路３０を介してアンテナ２２からたとえば電話事業者が運営するゲートウェイサーバ（図示せず）に送信する。 
【００３６】ゲートウェイサーバは，ＵＲＬデータを受信し，ＵＲＬデータが示すインターネットサイト（ホームページ）にインターネット（図示せず）を介してアクセスする。また，ゲートウェイサーバは，アクセスしたホームページの画面データやユーザが取得要求した音楽データや画像データなどのコンテンツデータ（コンテンツ情報）を電話機１０に送信する。 
【００３７】このように，電話機１０では，インターネット接続モードで，ゲートウェイサーバを介して所望のＷＷＷサイトにアクセスすることができ，所望のコンテンツ情報を取得することができる。ＷＷＷサイトのコンテンツ情報は，アンテナ２２で受信され，ＲＦ処理回路３０およびベースバンド処理回路３２を介してＣＰＵ３６に与えられる。 
【００３８】ＣＰＵ３６は，ＷＷＷサイトのコンテンツ情報を受信すると，ＲＡＭ４２を用いて展開した後，ＬＣＤドライバＩＣ４８を駆動し，ＷＷＷサイトの画面をＬＣＤパネル１６に表示する。 
【００３９】また，ＣＰＵ３６は，たとえばファイルの拡張子などのファイルの属性情報に基づいて，コンテンツ情報の種類を判断（解釈）した後，コンテンツ情報を再生または実行する。たとえば，音楽データを再生する場合には，ＣＰＵ３６は，ＲＡＭ４２に展開された音楽データに基づき，メロディＩＣ４６を駆動して，スピーカ１８ｂに出力する。また，画像データを再生する場合には，ＣＰＵ３６は，ＲＡＭ４２に展開された画像データに基づき，ＬＣＤドライバＩＣ４８を駆動して，ＬＣＤパネル１６に出力する。 
【００４０】なお，ユーザのキー操作に応じてコンテンツ情報を保存することもでき，保存するコンテンツ情報はメモリ４４に記憶される。」（段落【００３４】〜【００４０】） 
　 
（カ）「【００４７】さらに，電話機１０はマルチメディアプロセサ（以下，単に「プロセサ」という。）５０を含み，プロセサ５０には定電圧電源５２が電源回路５４および電源制御回路５６を介して接続される。 
【００４８】プロセサ５０としては，必要な機能を備える任意の種類のプロセサを用いることができるが，この実施例では，本願出願人が先に特許出願した高速プロセサ（商品名「ＸａｖｉＸ」）を用いる。この高速プロセサは，特開平１０−３０７７９０号公報［Ｇ０６Ｆ １３／３６，Ｇ０６Ｆ １５／７８］およびこれに対応するアメリカ特許０９／０１９，２７７号に詳細に開示されている。 
【００４９】簡単に説明すると，プロセサ５０はＣＰＵ５０ａを含み，図示は省略するが，グラフィックプロセサ，サウンドプロセサおよびＤＭＡプロセサ等の各種プロセサを備えている。また，プロセサ５０は入出力ポートを含み，この入出力ポートがＣＰＵ３６に接続され，ＣＰＵ３６とプロセサ５０との間で制御データの授受（データ通信）が可能である。つまり，ＣＰＵ５０ａは，ＣＰＵ３６とデータ通信を行うことにより，キー入力情報およびダウンロードされたコンテンツ情報を取得する。 
【００５０】コンテンツ情報に含まれる画像データは，グラフィックプロセサにより画像処理を施され，アナログのビデオ信号として図１に示したＡＶジャック端子２４に出力される。また，コンテンツ情報に含まれる音声データは，サウンドプロセサにより音声処理を施され，アナログのオーディオ信号としてＡＶジャック端子２４に出力される。したがって，電話機１０とＴＶ受像機２８とをＡＶケーブル２６を用いて接続している場合には，ＴＶ受像機２８からビデオ信号やオーディオ信号を出力することができる。 
【００５１】定電圧電源５２は，図示は省略するが，電話機１０本体に装着されたバッテリであり，この定電圧電源５２から出力される電源が電源回路５４によって，電話機１０の各回路コンポーネントに供給される。また，電源制御回路５６は，ＣＰＵ３６の指示に従ってプロセサ５０およびその周辺回路への電源供給を開始／停止（オン／オフ）するスイッチ回路である。 
【００５２】プロセサ５０にはまた，ＲＯＭ５８およびＲＡＭ６０が接続される。ＲＯＭ５８は，マスクＲＯＭ或いはフラッシュＥＥＰＲＯＭのようなＲＯＭであり，プロセサ５０内のＣＰＵ５０ａで処理されるソフトウェアのプログラムコード，グラフィックプロセサで画像処理されるグラフィックデータおよびサウンドプロセサで音声処理されるサウンドデータ（スコアデータ）を記憶する。この実施例では，グラフィックデータは，ＡＶジャック端子２４を介してＴＶ受像機２８に表示する複数の画面に対応する複数の画面データであり，サウンドデータは，画面データのそれぞれに付随する（関連する）複数の音声データである。また，ＲＡＭ６０は，ＤＲＡＭあるはＳＲＡＭのような揮発性のメモリであり，ＣＰＵ５０ａのワーキングメモリ或いはバッファメモリとして用いられる。 
【００５３】たとえば，ユーザが電話機１０をＴＶ受像機２８に接続し，キースイッチ１４を操作して，ＴＶ受像機２８への出力モードを選択すると，ＣＰＵ３６は電源制御回路５６を指示して，プロセサ５０およびその周辺回路への電源供給を開始（オン）する。すると，プロセサ５０が起動され，ＣＰＵ５０ａの指示に従って図３に示すような編集する情報（項目）を選択する選択画面がＴＶ受像機２８の画面２８ａに表示される。つまり，ＣＰＵ５０ａは，図３に示す選択画面を出力するようにグラフィックプロセサに指示を出す。グラフィックプロセサは，この指示に従って，対応する画面データをＲＯＭ５８から読み出して画像処理を行う。画像処理が施された結果であるビデオ信号は，ＡＶジャック端子２４に出力される。したがって，ＴＶ受像機２８の画面２８ａに選択画面が表示される。」（段落【００４７】〜【００５３】） 
　 
（キ）「【００９７】また，図３に示した選択画面において，“ＨＴＭＬブラウザ”が選択されると，ＣＰＵ５０ａは図１４〜図２０に示すようなＨＴＭＬブラウザ処理を実行する。このＨＴＭＬブラウザ処理では，ＵＲＬの新規登録或いは削除を実行することができ，また，ＵＲＬを入力して，所望のＷＷＷサイトにアクセスし，コンテンツ情報をダウンロードすることもできる。 
【００９８】ユーザがキースイッチ１４を操作して，“ＨＴＭＬブラウザ”を選択すると，そのキー操作に応じた操作信号がＣＰＵ３６に入力される。ＣＰＵ３６は，ＣＰＵ５０ａからのキー入力情報取得要求に応じて，操作信号をＣＰＵ５０ａに送信する。ＣＰＵ５０ａは，操作信号を受信して，“ＨＴＭＬブラウザ”が選択されたと解釈すると，ＨＴＭＬブラウザ処理を開始し，図１４に示すステップＳ１４１で図２１（Ａ）に示すようなＨＴＭＬブラウザ処理のためのメニュー（メインメニュー）画面を表示する。このとき，メインメニュー画面の表示に伴って，“メインメニューを選択して下さい。”などの音声ガイドを出力することもできる。 
【００９９】続くステップＳ１４３では，上述したようなキー入力情報取得処理を実行し，ステップＳ１４５でキー入力情報を解釈する。そして，ステップＳ１４７で“メニューリスト”が選択されたかどうかを判断する。図２１（Ａ）に示すように，メインメニュー画面には，“メニューリスト”，“ＵＲＬ直接入力”および“終了”の各モード（項目）を示す文字とともに，ダイアルキー１４ａに含まれる“１”キー，“２”キーおよび“３”キーに対応する数字が表示される。また，いずれか１つの項目を囲むように，四角枠のカーソルが表示される。 
【０１００】したがって，ユーザは，カーソルキー１４ｄの“↑”キーまたは“↓”キーを操作し，カーソルを移動させ，所望の項目にカーソルを合わせた後に，決定キー１４ｆを操作することにより，所望の項目（モード）を選択できる。或いは，“１”キー，“２”キーまたは“３”キーを操作することにより，モード（メインメニュー）を選択することもできる。ＣＰＵ５０ａは，このようなキー操作に基づいて，“メニューリスト”，“ＵＲＬ直接入力”または“終了”が選択されたことを解釈する。 
【０１０１】ステップＳ１４７で“ＮＯ”であれば，つまり“メニューリスト”でなければ，ステップＳ１４９に進む。一方，ステップＳ１４７で“ＹＥＳ”であれば，つまり“メニューリスト”であれば，図１５に示すステップＳ１５５で図２１（Ｂ）に示すようなサブメニュー画面を表示する。このとき，サブメニュー画面の表示に伴って，“サブメニューを選択して下さい。”などの音声ガイドを出力することもできる。 
【０１０２】続いて，ステップＳ１５７でキー入力情報取得処理を実行し，ステップＳ１５９でキー入力情報を解釈する。そして，ステップＳ１６１で，サブメニュー画面において，“ブラウズ”が選択されたかどうかを判断する。図２１（Ｂ）に示すように，サブメニュー画面には，“ブラウズ”，“新規登録”，“削除”および“終了”の各モード（項目）を示す文字とともに，それぞれに対応する“１”キー，“２”キー，“３”キーおよび“４”キーの数字が表示される。また，いずれか１つの項目を囲むように，四角枠のカーソルが表示される。 
【０１０３】つまり，ユーザは，カーソルキー１４ｄの“↑”キーまたは“↓”キーを操作して，カーソルを移動させ，所望の項目にカーソルを合わせた後に，決定キー１４ｆを操作することにより，所望の項目（モード）を選択できる。或いは，“１”キーないし“４”キーのいずれかのキーを操作することにより，モード（サブメニュー）を選択することもできる。したがって，ＣＰＵ５０ａは，このようなキー操作に対応する操作信号に基づいて，“ブラウズ”，“新規登録”，“削除”または“終了”が選択されたことを解釈する。 
【０１０４】ステップＳ１６１で“ＮＯ”であれば，つまり“ブラウズ”でなければ，ステップＳ１６３に進む。一方，ステップＳ１６１で“ＹＥＳ”であれば，つまり“ブラウズ”であれば，図１６に示すステップＳ１７１で図２１（Ｃ）に示すようなブラウズメニュー選択画面を表示する。このとき，ブラウズメニュー選択画面の表示に伴って，“ＵＲＬを選択して下さい。”などの音声ガイドを出力することもできる。 
【０１０５】続いて，ステップＳ１７３でキー入力情報取得処理を実行し，ステップＳ１７５でキー入力情報を解釈する。そして，ステップＳ１７５では，ブラウズモードの終了かどうかを判断する。図２１（Ｃ）に示すように，ブラウズメニュー選択画面には，ＵＲＬの一覧が表示されるとともに，いずれか１つのＵＲＬを囲むように，四角枠のカーソルが表示される。したがって，ユーザがカーソルキー１４ｄの“↑”キーまたは“↓”キーを操作し，カーソルを移動させ，所望のＵＲＬにカーソルを合わせた後に，決定キーを操作することにより，所望のＵＲＬを選択することができる。そして，通話キー１４ｂを操作すると，選択されたＵＲＬに基づいて所定のＷＷＷサイトへアクセスすることができる。また，“←”キーを操作すると，ブラウズモードを終了して，サブメニュー画面に戻ることができる。 
【０１０６】なお，図２１（Ｃ）においては，図示は省略するが，図２１（Ａ）および図２１（Ｂ）に示したように，各項目（ＵＲＬ）のそれぞれに対応づけて，数字を表示しておき，ダイアルキー１４ａの操作によって，ＵＲＬを選択できるようにすることもできる。 
【０１０７】ただし，この場合には，ＵＲＬの数が２桁を越える場合が考えられるため，ダイアルキー１４ａによるキー操作が完全に終了したと考えられる時間（たとえば，５秒）だけ待機してから，キー操作に応じたＵＲＬを判断（解釈）する必要がある。或いは，所定の桁数（たとえば，３桁）の数字を入力するようにしておけば，すべての桁数が入力されたときにＵＲＬが選択されたと判断することもできる。 
【０１０８】つまり，ステップＳ１７７では，ＣＰＵ５０ａは，“←”キーが操作されたかどうかを判断する。ステップＳ１７７で“ＹＥＳ”であれば，つまり“←”キーが操作されれば，ブラウズモードを終了すると判断し，図１５に示したステップＳ１５５に戻る。一方，ステップＳ１７７で“ＮＯ”であれば，つまり“←”キーが操作されなければ，ブラウズモードを終了しないと判断し，ステップＳ１７９で後述するＨＴＭＬコンテンツ取得処理を実行する。 
【０１０９】続くステップＳ１８１では，ダウンロードしたＨＴＭＬコンテンツ（コンテンツ情報）を解釈するとともに，グラフィックプロセサおよびサウンドプロセサを制御し，ＨＴＭＬコンテンツに対応するビデオ信号およびオーディオ信号をＡＶジャック端子２４に出力する。そして，ステップＳ１８３で次回のキー入力情報取得処理のタイミングを待機してから，つまり所定時間待機してから，ステップＳ１７３に戻る。 
【０１１０】なお，ＨＴＭＬコンテンツは，ＣｏｍｐａｃｔＨＴＭＬ等のＨＴＭＬのサブセットまたはＸＭＬ等のＨＴＭＬの類似の原語で記述されたものであってもよい。 
【０１１１】図１５に戻って，ステップＳ１６３では，図２１（Ｂ）に示したサブメニュー画面において，“新規登録”が選択されたかどうかを判断する。ステップＳ１６３で“ＮＯ”であれば，つまり“新規登録”でなければ，ステップＳ１６５に進む。一方，ステップＳ１６３で“ＹＥＳ”であれば，つまり“新規登録”であれば，図１７に示すステップＳ１８５で図２２（Ａ）に示すようなＵＲＬ入力画面を表示する。このとき，ＵＲＬ入力画面の表示に伴って，“ＵＲＬを入力して下さい。”などの音声ガイドを出力することもできる。。 
【０１１２】続いて，ステップＳ１８７でキー入力情報取得処理を実行し，ステップＳ１８９でキー入力情報を解釈する。そして，ステップＳ１９１で，ＵＲＬの入力が終了したかどうかを判断する。図２２（Ａ）に示すＵＲＬ入力画面では，ユーザは，ダイアルキー１４ａを用いてＵＲＬを入力することができ，入力した内容を訂正する場合には，“←”キーを操作して，縦棒のカーソルを戻し，入力し直すことができる。この間，ＣＰＵ５０ａは，ステップＳ１８７〜ステップＳ１８９の処理を繰り返している。また，入力が終了すると，決定キー１４ｆを操作することにより，入力した内容を確定することができる。 
【０１１３】つまり，ステップＳ１９１では，ＣＰＵ５０ａは，決定キー１４ｆが操作されたかどうかを判断している。ステップＳ１９１で“ＮＯ”であれば，つまり決定キー１４ｆが操作されていなければ，ＵＲＬの入力が終了していないと判断し，ステップＳ１８７に戻る。このとき，キー操作に応じた英数字を含むＵＲＬ入力画面が画面２８ａに表示される。一方，ステップＳ１９１で“ＹＥＳ”であれば，つまり決定キー１４ｆが操作されれば，ＵＲＬの入力が終了したと判断し，ステップＳ１９３でメモリ４４への書込み処理を実行してからステップＳ１５５に戻る。 
【０１１４】図１５に戻って，ステップＳ１６５では，図２１（Ｂ）に示したサブメニュー画面において，“削除”が選択されたかどうかを判断する。ステップＳ１６５で“ＮＯ”であれば，つまり“削除”でなければ，ステップＳ１６７に進む。一方，ステップＳ１６５で“ＹＥＳ”であれば，つまり“削除”であれば，図１８に示すステップＳ１９７で図２２（Ｂ）に示すような削除アイテム（ＵＲＬ）選択画面を表示する。このとき，削除アイテム選択画面の表示に伴って，“削除するＵＲＬを選択してください。”などの音声ガイドを出力することもできる。 
【０１１５】続いて，ステップＳ１９７でキー入力情報取得処理を実行し，ステップＳ１９９でキー入力情報を解釈する。そして，ステップＳ２０１では，選択が完了したかどうかを判断する。図２２（Ｂ）に示すように，削除アイテム選択画面には，アイテム（ＵＲＬ）の一覧が表示されるとともに，いずれか１つのＵＲＬを囲むように四角枠のカーソルが表示される。したがって，ユーザは，カーソルキー１４ｄの“↑”キーおよび“↓”キーを操作し，カーソルを移動させ，所望のＵＲＬにカーソルを合わせた後に，決定キー１４ｆを操作することにより，削除するＵＲＬを選択できる。 
【０１１６】なお，図２２（Ｂ）においては，図示は省略するが，図２１（Ａ）および図２１（Ｂ）に示したように，各項目（ＵＲＬ）のそれぞれに対応づけて，数字を表示しておき，ダイアルキー１４ａの操作によって，ＵＲＬを選択できるようにすることもできる。 
【０１１７】ただし，この場合には，ＵＲＬの数が２桁を越える場合が考えられるため，ダイアルキー１４ａによるキー操作が完全に終了したと考えられる時間（たとえば，５秒）だけ待機してから，キー操作に応じたＵＲＬを判断（解釈）する必要がある。或いは，所定の桁数（たとえば，３桁）の数字を入力するようにしておけば，すべての桁数が入力されたときにＵＲＬが選択されたと判断することもできる。 
【０１１８】つまり，ステップＳ２０１では，ＣＰＵ５０ａは，決定キー１４ｆ或いはダイアルキー１４ａが操作されたかどうかを判断する。ステップＳ２０１で“ＮＯ”であれば，つまり決定キー１４ｆ或いはダイアルキー１４ａが操作されなければ，ＵＲＬの選択を完了していないと判断し，ステップＳ１９５に戻る。このとき，“↑”キーまたは“↓”キーが操作されていれば，キー操作に応じてカーソルを移動させた削除アイテム選択画面を画面２８ａに表示する。 
【０１１９】一方，ステップＳ２０１で“ＹＥＳ”であれば，つまり決定キー１４ｆ或いはダイアルキー１４ａが操作されれば，削除するＵＲＬの選択を完了したと判断し，ステップＳ２０３で図１３（Ｃ）に示した削除指示選択画面を表示する。このとき，“削除しますか？”などの音声ガイドを出力することもできる。続いて，ステップＳ２０５でキー入力情報取得処理を実行し，ステップＳ２０７でキー入力情報を解釈する。そして，ステップＳ２０９で，選択したＵＲＬを削除するかどうかを判断する。ステップＳ２０９で“ＮＯ”であれば，つまり“いいえ”であれば，選択したＵＲＬを削除しないと判断し，ステップＳ１９５に戻る。一方，ステップＳ２０９で“ＹＥＳ”であれば，つまり“はい”であれば，選択したＵＲＬを削除すると判断し，ステップＳ２１１でメモリ４４への書込み処理を実行してからステップＳ１５５に戻る。 
【０１２０】図１５に戻って，ステップＳ１６７では，図２１（Ｂ）に示したサブメニュー画面において，“終了”が選択されたかどうかを判断する。ステップＳ６７で“ＮＯ”であれば，つまり“終了”でなければ，ステップＳ１６９で次回のキー入力情報取得処理のタイミングを待機して，つまり所定時間待機して，ステップＳ１５７に戻る。一方，ステップＳ１６９で“ＹＥＳ”であれば，つまり“終了”であれば，サブメニュー画面を終了すると判断し，図１４に示したステップＳ１４１に戻る。 
【０１２１】このように，メインメニューで“メニューリスト”のモードが選択された場合の編集処理等が実行される。 
【０１２２】図１４に戻って，ステップＳ１４９では，図２１（Ａ）に示したメインメニュー画面において，“ＵＲＬ直接入力”が選択されたかどうかを判断する。ステップＳ１４９で“ＮＯ”であれば，つまり“ＵＲＬ直接入力”でなければ，ステップＳ１５１に進む。一方，ステップＳ１４９で“ＹＥＳ”であれば，つまり“ＵＲＬ直接入力”であれば，図１９に示すステップＳ２１３で図２２（Ｃ）に示すようなＵＲＬを直接入力するためのＵＲＬ入力画面を表示する。このとき，ＵＲＬ入力画面の表示に伴って，“ＵＲＬを入力して下さい。”などの音声ガイドを出力することもできる。 
【０１２３】続いて，ステップＳ２１５でキー入力情報取得処理を実行し，ステップＳ２１７でキー入力情報を解釈する。そして，ステップＳ２１９でＵＲＬの入力が完了したかどうかを判断する。図２２（Ｃ）に示すＵＲＬ入力画面では，ユーザは，ダイアルキー１４ａを操作して，英数字を入力することができる。また，カーソルキー１４ｄの“←”キーを操作すると，画面２８ａに表示された縦棒のカーソルを戻すことができ，入力をやり直すことができる。そして，ユーザは，決定キー１４ｆを操作して，ＵＲＬの入力を終了する。 
【０１２４】つまり，ステップＳ２１７では，ＣＰＵ５０ａは，決定キー１４ｆが操作されたかどうかを判断している。ステップＳ２１７で“ＮＯ”であれば，つまり決定キー１４ｆが操作されなければ，ＵＲＬの入力が完了していないと判断し，ステップ２１５に戻る。このとき，キー操作に応じた英数字を含むＵＲＬ入力画面が画面２８ａに表示される。 
【０１２５】一方，ステップＳ２１９で“ＹＥＳ”であれば，つまり決定キー１４ｆが操作されれば，ＵＲＬの入力が終了したと判断し，ステップＳ２２１でＨＴＭＬコンテンツ取得処理を実行し，ステップＳ２２３でＨＴＭＬコンテンツを解釈し，コンテンツ情報を再生する。そして，ステップＳ２２５で次回のキー入力情報取得処理のタイミングを待機して，つまり所定時間待機してからステップＳ２２７に進む。ステップＳ２２７では，キー入力情報取得処理を実行し，ステップＳ２２９でキー入力情報を解釈する。そして，ステップＳ２３１では，“ＵＲＬ直接入力”モードの終了かどうかを判断する。具体的には，ＣＰＵ５０ａは，ダイアルキー１４の“＊”キーが操作されたかどうかを判断する。 
【０１２６】ステップＳ２３１で“ＹＥＳ”でれば，つまり“＊”キーが操作されれば，“ＵＲＬ直接入力”モードを終了すると判断して，ステップＳ１４１に戻る。一方，ステップＳ２３１で“ＮＯ”であれば，つまり“＊”キーが操作されなければ，“ＵＲＬ直接入力”モードを続行すると判断して，ステップＳ２２１に戻って，ＨＴＭＬコンテンツ取得処理を実行する。 
【０１２７】このように，ステップＳ２２１〜ステップＳ２３１の処理を繰り返すことにより，リンクされているＷＷＷサイトへの移動およびＨＴＭＬコンテンツ取得処理が繰り返される。 
【０１２８】図１４に戻って，ステップＳ１５１では，図２１（Ａ）に示したメインメニュー画面において，“終了”が選択されたかどうかを判断する。ステップＳ１５１で“ＮＯ”であれば，つまり“終了”でなければ，ＨＴＭＬブラウズ処理を終了しないと判断し，ステップＳ１５３で次回のキー入力情報取得処理のタイミングを待機してから，つまり所定時間待機してからステップＳ１４３に戻る。一方，ステップＳ１５１で“ＹＥＳ”であれば，つまり“終了”であれば，ＨＴＭＬブラウズ処理を終了すると判断し，ＨＴＭＬブラウズ処理を終了する。 
【０１２９】図１６に示したステップＳ１７９或いは図１９に示したステップＳ２２７のＨＴＭＬコンテンツ処理が開始されると，図２０に示すような処理が実行される。図２０に示すように，ＨＴＭＬコンテンツ取得処理は，ＣＰＵ３６とＣＰＵ５０ａとが互いに通信することにより実行される。したがって，図２０では，それぞれの処理を分かり易くするために仕切りを設けてある。 
【０１３０】具体的には，ＨＴＭＬコンテンツ取得処理が開始されると，まず，ステップＳ２４１で，ＣＰＵ５０ａは，“ＵＲＬ送信要求”メッセージを発行（送信）する。したがって，ＣＰＵ３６は，メッセージ待機状態から処理を開始し，ステップＳ２４３で，“ＵＲＬ送信要求”メッセージを受領（受信）し，ステップＳ２４５で“ＵＲＬ送信要求確認”メッセージを発行（送信）する。 
【０１３１】したがって，ＣＰＵ５０ａは，ステップＳ２４７で“ＵＲＬ送信要求確認”メッセージを受領（受信）し，これに応じて，ステップＳ２４９でＵＲＬを送信する。したがって，ＣＰＵ３６は，ステップＳ２５１でＵＲＬを受信し，ステップＳ２５３で“ＵＲＬ受信確認”メッセージを発行（送信）する。したがって，ＣＰＵ５０ａは，ステップＳ２５５で“ＵＲＬ受信確認”メッセージを受領（受信）する。 
【０１３２】ＣＰＵ３６は，“ＵＲＬ受信確認”メッセージの発行に続いて，ステップＳ２５７で無線データ通信により，ＵＲＬを送信する。つまり，ＣＰＵ３６は，モード切換キー１４ｅを操作した場合と同様に，ユーザが契約している電話会社等が提供しているインターネット接続サービスのゲートウェイサーバに接続し，ＵＲＬを送信する。 
【０１３３】続くステップＳ２５９では，ＣＰＵ３６は，無線データ通信によるＨＴＭＬコンテンツ受信処理を実行する。つまり，ホームページで提供される音楽データや画像データなどのコンテンツ情報の取得要求を出力し，これに応じて配信されるコンテンツ情報を受信する。受信したコンテンツ情報は，メモリ４４に格納される。 
【０１３４】そして，ＣＰＵ３６は，ステップＳ２６１でメモリ４４に格納されたコンテンツ情報すなわちＨＴＭＬコンテンツをＣＰＵ５０ａに送信した後，メッセージ待機状態に戻る。したがって，ＣＰＵ５０ａは，ステップＳ２６３でＨＴＭＬコンテンツを受信し，リターンする。 
【０１３５】以上のように，図３に示した選択画面において，“メモリダイアルエディタ”または“ＨＴＭＬブラウザ”が選択された場合の処理について説明したが，電子メールの作成等，電卓，メモ帳或いはスケジュールなどの他の機能を実行したり，ダウンロードしたコンテンツ情報の加工，修正或いは削除を実行したりする場合にもそれぞれに対応した画面をＴＶ受像機２８に表示することができる。ただし，この実施例では，簡単のため，それらの画面２８ａおよび処理についての説明は省略する。 
【０１３６】つまり，基本的には，ＴＶ受像機２８の画面２８ａに出力される内容は，ＬＣＤパネル１６に表示される情報（内容）と同じであるが，画面２８ａにはＬＣＤパネル１６より多くの情報を一度に表示することができる。また，ＬＣＤパネル１６がカラー表示することが出来ないＬＣＤであったとしても，ＴＶ受像機２８の画面２８ａにはカラー表示することができる。さらに，音楽データを加工等する場合には，加工した結果をＴＶ受像機２８に出力し，ＴＶ受像機２８のスピーカから音楽を出力するようにしてもよい。 
【０１３７】上述したように，ユーザがキースイッチ１４を操作して，ＴＶ受像機２８にビデオ信号およびオーディオ信号を出力するＴＶ出力モードを選択すると，プロセサ５０およびその周辺回路への電源供給が開始（オン）され，プロセサ５０は起動される。一方，ユーザがキースイッチ１４を操作して，ＴＶ出力モードの終了を選択すると，プロセサ５０への電源供給が停止（オフ）され，プロセサ５０は停止される。 
【０１３８】このようなプロセサ５０の起動および停止の処理は，ＣＰＵ３６およびＣＰＵ５０ａによって実行され，図２３〜図２５のように示される。説明の便宜上，ＣＰＵ３６の処理とＣＰＵ５０ａの処理とを分けて説明する。 
【０１３９】図２３に示すように，ＣＰＵ３６は，電話機１０本体の電源がオンされると，処理を開始し，ステップＳ２７１で，初期設定する。たとえば，ＣＰＵ３６に含まれるハードウェア資源の初期設定，周辺の回路コンポーネントの初期設定，ＲＡＭ４４の初期化などが行われる。 
【０１４０】続いて，ステップＳ２７３でキー入力（操作信号）を読み取り，ステップＳ２７５でキー入力を解釈する。そして，ステップＳ２７７では，ＴＶ出力モードが開始（選択）されたかどうかを判断する。ステップＳ２７７で“ＮＯ”であれば，つまりＴＶ出力モードの開始でなければ，ステップＳ２７９でキー入力に応じた処理を実行して，ステップＳ２７３に戻る。 
【０１４１】なお，簡単のため，ステップＳ２７９の詳細な処理については省略してあるが，ステップＳ２７９では，発呼（発信），着呼（受信），メモリダイアル，メモリダイアルの検索，インターネット接続，ＵＲＬ入力，電卓，メモ帳，電子メール作成および電子メール表示など電話機１０が備えている機能を実行する。 
【０１４２】このように，ＣＰＵ３６は，通常，ステップＳ２７３〜ステップＳ２７９のメイン処理ループを実行している。 
【０１４３】一方，ステップＳ２７７で“ＹＥＳ”であれば，つまりＴＶ出力モードが開始されると，メイン処理ループから抜けて，ステップＳ２８１でプロセサ５０の電源オン制御を実行する。具体的には，ＣＰＵ３６は，電源制御回路５６を指示して，プロセサ５０およびその周辺回路への電源供給を開始（オン）する。 
【０１４４】続いて，ステップＳ２８３でプロセサ５０をリセット解除すなわち起動する。そして，ステップＳ２８５では，プロセサ５０内のＣＰＵ５０ａからメッセージを受信したかどうかを判断する。このメッセージは，上述したキー入力情報取得処理，メモリ４４への書込み処理，メモリ４４からの読出し処理およびＨＴＭＬコンテンツ取得処理において，ＣＰＵ５０ａから送信されるメッセージ等である。 
【０１４５】ステップＳ２８５で“ＮＯ”であれば，つまりメッセージを受信しなければ，同じステップＳ２８５に戻る。これがメッセージ待機状態である。一方，ステップＳ２８５で“ＹＥＳ”であれば，つまりメッセージを受信すれば，図２４に示すステップＳ２８７で“ＴＶ出力モード終了”メッセージかどうかを判断する。ステップＳ２８７で“ＹＥＳ”であれば，つまり“ＴＶ出力モード終了”メッセージであれば，ステップＳ２８９でプロセサ５０の電源オフ制御を実行してから，図２３に示したステップＳ２７３に戻る。つまり，ＣＰＵ３６は，電源制御回路５６を指示して，プロセサ５０への電源供給を停止（オフ）して，メイン処理ループに戻る。 
【０１４６】一方，ステップＳ２８７で“ＮＯ”であれば，つまり“ＴＶ出力モード終了”メッセージでなければ，ステップＳ２９１で受信した他のメッセージに応じた処理を実行してからステップＳ２８５に戻る。つまり，簡単のため，ステップＳ２９１の詳細な処理についての説明は省略しているが，ステップＳ２８５，ステップＳ２８７およびステップＳ２９１の処理を実行することにより，ＣＰＵ３６は，上述したキー入力情報取得処理，メモリ４４への書込み処理，メモリ４４からの読出し処理およびＨＴＭＬコンテンツ取得処理を実行している。 
【０１４７】図２５を参照して，ＣＰＵ５０ａは，ＣＰＵ３６がステップＳ２８１でプロセサ５０をオンすると能動化され，ＣＰＵ３６がステップＳ２８３でリセット解除することにより起動され，処理を開始する。処理を開始すると，ステップＳ３０１で，初期設定をする。具体的には，プロセサ５０に含まれるハードウェア資源の初期設定，ＲＡＭ６０の初期化などが行われる。初期化を終了すると，ステップＳ３０３で，図３に示したような選択画面を表示する。続いて，ステップＳ３０５で“キー入力情報取得要求”メッセージを発行し，ステップＳ３０７でキー入力情報を受信し，そして，ステップＳ３０９でキー入力情報を解釈する。 
【０１４８】続いて，ステップＳ３１１では，ＴＶ出力モード終了かどうかを判断する。つまり，ユーザがキースイッチ１４を操作して，ＴＶ出力モードの終了を指示したかどうかを判断する。ステップＳ３１１で“ＮＯ”であれば，つまりＴＶ出力モード終了でなければ，ステップＳ３１３でキー入力情報に応じた処理を実行してからステップＳ３０５に戻る。つまり，ＣＰＵ５０ａは，ステップＳ３０５〜ステップＳ３１３のメイン処理ループを実行することにより，図４〜図１１に示したメモリダイアルエディタ処理や図１４〜図２０に示したＨＴＭＬブラウズ処理などをＴＶ出力モードで実行している。 
【０１４９】一方，ステップＳ３１１で“ＹＥＳ”であれば，つまりＴＶ出力モード終了であれば，メイン処理ループを抜けて，ステップＳ３１５で“ＴＶ出力モード終了”メッセージを発行してから処理を終了する。その後，ＣＰＵ５０ａは待機状態となり，“ＴＶ出力モード終了”メッセージに応じてＣＰＵ３６がプロセサ５０への電源供給をオフ（停止）する。すると，プロセサ５０は停止され，これに従ってＣＰＵ５０ａも停止（不能化）される。 
【０１５０】この実施例によれば，ＡＶケーブルを用いて電話機をＴＶ受像機に接続し，編集画面等をＴＶ受像機の画面に表示するので，電話機のＬＣＤパネルを見て編集作業を行う場合よりも画面が見易い。また，ＰＣ等の高価な別装置を用意して接続する必要もない。したがって，簡単に編集を実行することができる。 
【０１５１】また，ＴＶ受像機の画面表示に伴って，音声ガイドを出力するので，快適な操作を行うことができる。 
【０１５２】さらに，電話機のＬＣＤパネルがモノクロであっても，画面データをグラフィックプロセサで画像処理した結果であるビデオ信号を出力するので，カラーで画面表示することができる。 
【０１５３】なお，この実施例では，電力の浪費を防止するため，電源制御回路を用いてプロセサへの電源供給をオン／オフするようにしたが，常に電源を供給するようにしてもよい。」 
　 
　 
　これらの記載から，刊行物には，次の発明（以下，「刊行物記載発明」という。）が記載されている。 
　 
　 
「操作キーとしてのキースイッチ（１４）と，ＬＣＤパネル（１６）と，アンテナ（２２）と，ＡＶジャック端子（２４）と，ＲＦ処理回路（３０）と，ベースバンド処理回路（３２）と，キースイッチの操作に応じた操作信号が与えられ，この操作信号に応じて各種処理を実行するＡＳＩＣ−ＣＰＵ（３６）と，ＡＳＩＣ−ＣＰＵで実行されるプログラム（内蔵プログラム），及びＬＣＤパネルに表示する複数の画面に対応するグラフィックデータ（画面データ）が予め記憶（格納）されるＲＯＭ（４０）と，ＡＳＩＣ−ＣＰＵのワーキングメモリ或いはバッファメモリとして使用されるＲＡＭ（４２）と，ダウンロードしたコンテンツ情報などの様々な情報を記憶するメモリ（４４）と，ＡＳＩＣ−ＣＰＵの指示の下，ＬＣＤパネルを駆動し，ＬＣＤパネルに画像などを表示するＬＣＤドライバＩＣ（４８）と，プロセサ（５０）と，ビデオ信号をＡＶジャック端子に出力するモードと出力しないモードとを切り換える切換手段と，を備えた携帯電話端末であって， 
　携帯電話端末では，インターネット接続モードで，ゲートウェイサーバを介して所望のＷＷＷサイトにアクセスし，所望のコンテンツ情報を取得することができて，すなわち，ユーザが，キースイッチを用いてＵＲＬを入力し，たとえば，通話キーを操作すると，ＡＳＩＣ−ＣＰＵは入力されたＵＲＬに対応するデータ（ＵＲＬデータ）をベースバンド処理回路，ＲＦ処理回路，及びアンテナを介してゲートウェイサーバに送信し，ゲートウェイサーバは，受信したＵＲＬデータが示すインターネットサイト（ホームページ）にインターネットを介してアクセスするとともに，アクセスしたホームページの画面データやユーザが取得要求した画像データなどのコンテンツデータ（コンテンツ情報）を携帯電話端末に送信し，ＷＷＷサイトのコンテンツ情報は，アンテナで受信され，ＲＦ処理回路およびベースバンド処理回路を介してＡＳＩＣ−ＣＰＵに与えられ，ＡＳＩＣ−ＣＰＵは，ＷＷＷサイトのコンテンツ情報を受信すると，ＲＡＭを用いて展開した後，ＬＣＤドライバＩＣを駆動し，ＷＷＷサイトの画面をＬＣＤパネルに表示するものであり， 
　プロセサは，ＨＴＭＬブラウザ処理を実行可能なＣＰＵ（５０ａ）を含み，グラフィックプロセサ等の各種プロセサを備えており，ＣＰＵは，ＡＳＩＣ−ＣＰＵとデータ通信を行うことにより，キー入力情報およびダウンロードされたコンテンツ情報を取得し，すなわち，ＡＳＩＣ−ＣＰＵは，無線データ通信により受信した画像データなどのＨＴＭＬコンテンツ情報をメモリに格納し，そして，メモリに格納されたＨＴＭＬコンテンツをＣＰＵに送信し，したがって，ＣＰＵは，ＨＴＭＬコンテンツを受信し，コンテンツ情報に含まれる画像データは，グラフィックプロセサにより画像処理を施され，アナログのビデオ信号としてＡＶジャック端子に出力され，したがって，携帯電話端末と家庭用のテレビジョン受像機（ＴＶ受像機）２８とをＡＶジャック端子に接続可能なＡＶケーブル（２６）を用いて接続している場合には，ＴＶ受像機からビデオ信号を出力することができて， 
　切換手段がテレビジョン受像機に画面データを出力するモード（出力モード）と出力しないモードとを切り換えるので，出力モードが設定されたときに，画面データやコンテンツ情報を画像処理した結果であるビデオ信号がＡＶジャック端子に出力され，画像をＴＶ受像機の画面に表示することができる一方，出力しないモードが設定されているときには，画面データやコンテンツ情報は，携帯電話端末に設けられたＬＣＤパネルに表示され，基本的には，ＴＶ受像機の画面に出力される内容は，ＬＣＤパネルに表示される情報（内容）と同じである， 
携帯電話端末。」 
　 
　 
第５　対比 
　 
　本願発明と刊行物記載発明とを対比する。 
　 
　刊行物記載発明の「キースイッチ」は，操作キーであって，操作に応じた操作信号をＡＳＩＣ−ＣＰＵに与え，この操作信号に応じてＡＳＩＣ−ＣＰＵが各種処理を実行するものであるから，本願発明の「入力手段」に相当する。 
　 
　刊行物記載発明の携帯電話端末では，インターネット接続モードにおいて，ＡＳＩＣ−ＣＰＵはＵＲＬデータをベースバンド処理回路，ＲＦ処理回路，及びアンテナを介してゲートウェイサーバに送信し，また，ゲートウェイサーバがインターネットを介してアクセスしたインターネットサイト（ホームページ）の画面データやコンテンツ情報は，ゲートウェイサーバからアンテナによって受信され，ＲＦ処理回路およびベースバンド処理回路を介してＡＳＩＣ−ＣＰＵに与えられる。ここで，前記ＵＲＬデータ，画面データ，及びコンテンツ情報は，デジタル信号に該当し，また，携帯電話端末のアンテナとゲートウェイサーバとの間で送受信される信号は，インターネットプロトコルに準拠した無線信号であると解されるから，刊行物記載発明の「アンテナ，ＲＦ処理回路，及びベースバンド処理回路」は，本願発明の「無線通信手段」に相当する。 
　 
　刊行物記載発明は，ＡＳＩＣ−ＣＰＵで実行されるプログラム（内蔵プログラム），及びグラフィックデータ（画面データ）などが格納される「ＲＯＭ」，ＡＳＩＣ−ＣＰＵのワーキングメモリ或いはバッファメモリとして使用される「ＲＡＭ」，ダウンロードしたコンテンツ情報などの様々な情報を記憶する「メモリ」を備えているから，本願発明の「記憶手段」を有するといえる。 
　 
　刊行物記載発明の「ＡＳＩＣ−ＣＰＵ」は，入力手段（キースイッチ）から与えられた操作信号に応じて各種処理を実行し，記憶手段（ＲＯＭ）に格納されたプログラムを実行し，無線通信手段（アンテナ，ＲＦ処理回路，及びベースバンド処理回路）から受信したデジタル信号（画面データやコンテンツ情報）に必要な処理を行い，画像などをＬＣＤパネルに表示するための信号をＬＣＤドライバＩＣへ送信するものであるが，ここでＬＣＤドライバＩＣとしては，入力されたビットマップデータをＬＣＤ駆動信号へ変換して出力するものが一般的である（例えば，特開２００２−２１４９７２公報の段落【００８８】〜【００９２】，特開２００２−２５９０８２号公報の段落【００８３】を参照。）から，ＡＳＩＣ−ＣＰＵからＬＣＤドライバＩＣへ送信される前記信号は，本願発明の「デジタル表示信号」（本願明細書の段落【００３２】には「「特許請求の範囲」でいう「デジタル表示信号」には，後で詳述する「ビットマップデータ」等のデジタル画像データに直接対応した信号だけでなく，デジタル画像データの生成（描画）を命令する描画命令のデジタル信号も含む。」と記載されている。）に相当するということができて，刊行物記載発明の「ＡＳＩＣ−ＣＰＵ」は，本願発明の「前記入力手段から受信した入力データと前記記憶手段に格納されたプログラムとに基づき，前記無線通信手段から受信したデジタル信号に必要な処理を行い，リアルタイムでデジタル表示信号を生成するか，又は，自らが処理可能なデータファイルとして前記記憶手段に一旦格納し，その後読み出した上で処理することによりデジタル表示信号を生成する表示信号生成手段と，該表示信号生成手段が生成したデジタル表示信号に対して必要な処理を行い，又は，該デジタル表示信号に基づいて必要な処理を行い，処理後のデジタル表示信号を送信する表示補助手段とを有するデータ処理手段」と，「前記入力手段から受信した入力データと前記記憶手段に格納されたプログラムとに基づき，前記無線通信手段から受信したデジタル信号に必要な処理を行い，」「デジタル表示信号を生成」し，「デジタル表示信号を送信する」「データ処理手段」である点で共通する。 
　 
　刊行物記載発明の「ＬＣＤパネル」は，本願発明の「画面を構成する各々の画素が駆動されることにより画像を表示するディスプレイパネルＡ」に相当する。 
　刊行物記載発明の「ＬＣＤドライバＩＣ」は，データ処理手段（ＡＳＩＣ−ＣＰＵ）から受信したデジタル表示信号に基づきディスプレイパネルＡ（ＬＣＤパネル）の各々の画素を駆動するものと解され，また，本願発明の表示補助手段はデータ処理手段に含まれるから，刊行物記載発明の「ＬＣＤドライバＩＣ」は，本願発明の「前記表示補助手段から受信したデジタル表示信号に基づき前記ディスプレイパネルＡの各々の画素を駆動するディスプレイ制御手段Ａ」と，データ処理手段から「受信したデジタル表示信号に基づき前記ディスプレイパネルＡの各々の画素を駆動するディスプレイ制御手段Ａ」である点で共通する。 
　そして，刊行物記載発明の携帯電話端末は，「ディスプレイパネルＡ」と，「ディスプレイ制御手段Ａ」とから構成される「ディスプレイ手段」を備えているといえる。 
　 
　刊行物記載発明では，ＣＰＵがＨＴＭＬコンテンツ情報を受信し，グラフィックプロセサが該ＨＴＭＬコンテンツ情報に含まれる画像データに画像処理を施し，アナログのビデオ信号として，ＡＶジャック端子を介してＴＶ受像機へ出力する。 
　ここで，当該「ＴＶ受像機」は，本願発明の「外部ディスプレイ手段を伴う周辺装置」に相当し，また前記「ビデオ信号」は，本願発明の「外部表示信号」（本願明細書の段落【００３２】には，「「特許請求の範囲」でいう「外部表示信号」とは，周辺装置における外部ディスプレイ手段がそれを受信して適切に処理することにより画像を表示することが可能であるような信号を意味する。」と記載されている。）に相当する。 
　よって，前記ＣＰＵを含み前記グラフィックプロセサを備える，刊行物記載発明の「プロセサ」は，本願発明の「外部ディスプレイ手段を伴う周辺装置が接続され，該周辺装置に対して，前記表示補助手段から受信したデジタル表示信号に基づき，外部表示信号を送信するインターフェース手段Ａ１」と，「外部ディスプレイ手段を伴う周辺装置が接続され，該周辺装置に対して，」データ処理手段から「受信した」「信号に基づき，外部表示信号を送信するインターフェース手段」である点で共通するといえる。 
　 
　刊行物記載発明の「携帯電話端末」は，インターネット接続モードで，ゲートウェイサーバを介して所望のＷＷＷサイトにアクセスし，所望のコンテンツ情報を取得し，ＷＷＷサイトの画面をＬＣＤパネルに表示するから，入力手段（キースイッチ）と，無線通信手段（アンテナ，ＲＦ処理回路，及びベースバンド処理回路）と，記憶手段（ＲＯＭ，ＲＡＭ，メモリ）と，データ処理手段（ＡＳＩＣ−ＣＰＵ）と，ディスプレイ手段（ＬＣＤパネル，ＬＣＤドライバＩＣ）と，インターフェース手段Ａ１（プロセサ）とを「一体的に備え，単独でウェブブラウジング装置として使用可能な携帯情報通信装置」である。 
　 
　 
　したがって，本願発明と刊行物記載発明は，以下の点において一致ないし相違する。 
　 
＜一致点＞ 
「ユーザーがマニュアル操作によってデータを入力し，該入力データを後記データ処理手段へ送信する入力手段と； 
後記データ処理手段からデジタル信号を受信し，インターネットプロトコルに準拠した無線信号に変換して送信するとともに，インターネットプロトコルに準拠した無線信号を受信し，デジタル信号に変換の上，後記データ処理手段へ送信する無線通信手段と； 
後記データ処理手段を動作させるプログラムと後記データ処理手段で処理可能なデータファイルとを格納する記憶手段と； 
前記入力手段から受信した入力データと前記記憶手段に格納されたプログラムとに基づき，前記無線通信手段から受信したデジタル信号に必要な処理を行い，デジタル表示信号を生成し，デジタル表示信号を送信するデータ処理手段と； 
画面を構成する各々の画素が駆動されることにより画像を表示するディスプレイパネルＡと，データ処理手段から受信したデジタル表示信号に基づき前記ディスプレイパネルＡの各々の画素を駆動するディスプレイ制御手段Ａとから構成されるディスプレイ手段と； 
を一体的に備え，単独でウェブブラウジング装置として使用可能な携帯情報通信装置であって， 
外部ディスプレイ手段を伴う周辺装置が接続され，該周辺装置に対して，データ処理手段から受信した信号に基づき，外部表示信号を送信するインターフェース手段Ａ１を一体的に備える， 
ことを特徴とする携帯情報通信装置。」である点。 
　 
　 
＜相違点１＞ 
　本願発明のデータ処理手段は，「前記入力手段から受信した入力データと前記記憶手段に格納されたプログラムとに基づき，前記無線通信手段から受信したデジタル信号に必要な処理を行い，リアルタイムでデジタル表示信号を生成するか，又は，自らが処理可能なデータファイルとして前記記憶手段に一旦格納し，その後読み出した上で処理することによりデジタル表示信号を生成する表示信号生成手段」と，「該表示信号生成手段が生成したデジタル表示信号に対して必要な処理を行い，又は，該デジタル表示信号に基づいて必要な処理を行い，処理後のデジタル表示信号を送信する表示補助手段」とを有するのに対して，刊行物記載発明のデータ処理手段（ＡＳＩＣ−ＣＰＵ）の内部構成は明記されておらず，前記表示信号生成手段と，前記表示補助手段とを有するのか否か不明である点。 
　 
＜相違点２＞ 
　本願発明では，データ処理手段からディスプレイ制御手段Ａへ送信されるデジタル表示信号は，表示信号生成手段が生成したデジタル表示信号に対して必要な処理を行った，又は，該デジタル表示信号に基づいて必要な処理を行った，「処理後の」デジタル表示信号であり，また，データ処理手段からインターフェース手段Ａ１へ送信される信号は，前記「処理後の」デジタル表示信号であり，さらに，「前記処理後のデジタル表示信号を，前記ディスプレイ制御手段Ａと前記インターフェース手段Ａ１の双方へ送信する，又は，前記ディスプレイ制御手段Ａと前記インターフェース手段Ａ１のいずれか一方へ振り分けて送信する機能を」「前記表示補助手段」が有するのに対して，刊行物記載発明では，データ処理手段からディスプレイ制御手段Ａへ送信されるデジタル表示信号は，当該処理後のデジタル表示信号であるか否か不明であり，また，データ処理手段からインターフェース手段Ａ１へ送信される信号は，ＨＴＭＬコンテンツであって当該処理後のデジタル表示信号ではなく，「処理後のデジタル表示信号を，前記ディスプレイ制御手段Ａと前記インターフェース手段Ａ１の双方へ送信する，又は，前記ディスプレイ制御手段Ａと前記インターフェース手段Ａ１のいずれか一方へ振り分けて送信する機能」については記載されていない点。 
　 
　 
第６　当審の判断 
　 
　上記各相違点について検討する。 
　 
＜相違点１について＞ 
　初めに，刊行物記載発明のデータ処理手段（ＡＳＩＣ−ＣＰＵ）は，ＷＷＷサイトのコンテンツ情報を受信すると，ＲＡＭを用いて展開した後，ディスプレイ制御手段Ａ（ＬＣＤドライバＩＣ）を駆動し，ＷＷＷサイトの画面をディスプレイパネルＡ（ＬＣＤパネル）に表示するものであって，ＷＷＷサイトのコンテンツ情報としてはＨＴＭＬコンテンツが一般的である（例えば，刊行物の段落【０１３４】，特表２００３−５２９８１２号公報の段落【００２２】を参照。）こと，また，ＬＣＤドライバＩＣとしては，ビットマップデータを入力するものが一般的であること（上記「第５　対比」の第５段落「刊行物記載発明の「ＡＳＩＣ−ＣＰＵ」は…」を参照。）から，刊行物記載発明のデータ処理手段は，ＨＴＭＬコンテンツ処理を実行可能とし，また，ＬＣＤパネルを駆動するディスプレイ制御手段Ａに対してビットマップデータを出力する構成としたものと解される。 
　 
　そして「表示信号生成手段」について検討すると，ＨＴＭＬブラウザにおいて，受信して記憶したＨＴＭＬコンテンツからビットマップデータを生成する前段階として，処理命令を作成することは周知（例えば，特開２００４−３０２８９５号公報の段落【００２２】〜【００２７】には，ＨＴＭＬ等により記述されたドキュメントを受信バッファに格納し，該ドキュメントに含まれるオブジェクトを描画するための描画命令情報を作成することが記載されており，上記特表２００３−５２９８１２号公報の段落【００３４】〜【００３７】，【００７５】〜【００７７】，【０１０４】〜【０１０９】には，ＨＴＭＬコンテンツ記述のようなコンテンツをキャッシュから読み出し，コンテンツのＨＴＭＬ記述に従ってコンテンツをレイアウトする中でレンダリング命令を発生することが，記載されている。）であるから，刊行物記載発明のデータ処理手段（ＡＳＩＣ−ＣＰＵ）が実行する内蔵プログラムに，周知のＨＴＭＬブラウザを適用し，記憶手段（ＲＡＭ，メモリ）に一旦格納したコンテンツ情報を処理して，本願発明の「デジタル表示信号」に相当する処理命令（「デジタル表示信号」については，本願明細書の上記段落【００３２】を参照。）を生成する構成となすこと，すなわち，「入力手段から受信した入力データと記憶手段に格納されたプログラムとに基づき，無線通信手段から受信したデジタル信号に必要な処理を行い，」「自らが処理可能なデータファイルとして前記記憶手段に一旦格納し，その後読み出した上で処理することによりデジタル表示信号を生成する表示信号生成手段」の構成とすることに，格別の困難性はない。 
　また，マークアップ文書（例えば，ＨＴＭＬ文書やＢＭＬ文書などが含まれる。）のブラウザの一種として，デジタル信号を無線放送により受信して表示する際に，受信した信号に必要な処理を行い，デジタル表示信号を生成するＢＭＬブラウザが周知（例えば，特開２００３−３４８４７４号公報の段落【００６０】〜【００６８】には，ディジタル放送受信機において，復調されたディジタル信号からＢＭＬ文書を復元し，該ＢＭＬ文書をＲＯＭに格納されているＢＭＬブラウザによりＣＰＵで処理して描画処理命令を生成することが記載されており，特開２００２−１６８４９号公報の段落【００２５】〜【００２８】には，ＢＳデジタル放送受信機において，受信したＲＦ信号を復号し，ＢＭＬ文書データを取得してＢＭＬブラウザ部に取り込まれ，ＢＭＬデータは構文解析されて所定の内部データ形式に変換されることが記載されている。）であって，受信した放送内容は，実質的にリアルタイムに表示されると解されるところ，刊行物の段落【０１１０】には，「ＨＴＭＬコンテンツは，ＣｏｍｐａｃｔＨＴＭＬ等のＨＴＭＬのサブセットまたはＸＭＬ等のＨＴＭＬの類似の原語で記述されたものであってもよい。」と記載されていることから，刊行物記載発明のデータ処理手段が実行する内蔵プログラムに，周知のＢＭＬブラウザを適用して，「前記入力手段から受信した入力データと前記記憶手段に格納されたプログラムとに基づき，前記無線通信手段から受信したデジタル信号に必要な処理を行い，リアルタイムでデジタル表示信号を生成する」「表示信号生成手段」とすることは，当業者が容易になし得たことである。 
　 
　次に「表示補助手段」について検討すると，刊行物記載発明のディスプレイ制御手段Ａ（ＬＣＤドライバＩＣ）は，処理命令を解釈して実行する処理手段ではなく（上記「第５　対比」の第５段落「刊行物記載発明の「ＡＳＩＣ−ＣＰＵ」は…」を参照。），刊行物記載発明のデータ処理手段（ＡＳＩＣ−ＣＰＵ）からディスプレイ制御手段Ａへ送信される「デジタル表示信号」は，データ処理手段が，周知のＨＴＭＬブラウザ又はＢＭＬブラウザにより，前記コンテンツ情報や文書を処理して生成したデジタル表示信号（処理命令）をさらに処理して生成された，本願発明の「処理後のデジタル表示信号」に相当する信号であると解され，さらに，「デジタル表示信号に対して必要な処理を行い，又は，該デジタル表示信号に基づいて必要な処理を行い，処理後のデジタル表示信号を送信する表示補助手段」そのものは周知（例えば，特開平４−２５７０８５号公報の段落【０００８】〜【０００９】には，ホストプロセッサ１４のようなプロセッサからグラフィック命令を受けてこれらの命令を処理し，ビットマップメモリ２２のそれぞれのメモリ位置に２進数の１および０信号を入力することによって描画を行う高性能シングルチップグラフィクス表示プロセッサ（コージェネレータ１０）が記載され，特開平７−２７１３４４号公報の段落【０００６】には，描画コマンド及び属性設定コマンドに従ってフレームメモリ１７にラスター展開や複写といった描画処理を実行する描画プロセッサ５が記載され，特開平８−１３８０５９号公報の段落【００１０】〜【００１５】には，ジオメトリ・プロセッサ２７から演算後の命令を読み込み，ドットイメージを作成し，フレームメモリ２２を更新するラスター変換器２１が記載されている。）である。 
　 
　そして，一般に，一連の処理を実行する処理手段を実現する際に，一連の処理を複数に分割して各部分を実行する処理手段を個別に設けるか，あるいは，一連の処理を実行する単一の処理手段を設けるかは，当業者が適宜選択すべき事項であるから，刊行物記載発明のデータ処理手段（ＡＳＩＣ−ＣＰＵ）において，周知のＨＴＭＬブラウザ又はＢＭＬブラウザにより，デジタル表示信号（処理命令）を生成する構成を設けるとともに，周知の表示補助手段の適用により，デジタル表示信号（処理命令）から処理後のデジタル表示信号（ビットマップデータ）を生成して送信する構成とすること，すなわち「前記入力手段から受信した入力データと前記記憶手段に格納されたプログラムとに基づき，前記無線通信手段から受信したデジタル信号に必要な処理を行い，リアルタイムでデジタル表示信号を生成するか，又は，自らが処理可能なデータファイルとして前記記憶手段に一旦格納し，その後読み出した上で処理することによりデジタル表示信号を生成する表示信号生成手段と，該表示信号生成手段が生成したデジタル表示信号に対して必要な処理を行い，又は，該デジタル表示信号に基づいて必要な処理を行い，処理後のデジタル表示信号を送信する表示補助手段とを有するデータ処理手段」とすることは，当業者が容易になし得たことである。 
　 
　 
＜相違点２について＞ 
　上記＜相違点１について＞で指摘したとおり，刊行物記載発明のデータ処理手段（ＡＳＩＣ−ＣＰＵ）からディスプレイ制御手段Ａ（ＬＣＤドライバＩＣ）へ送信される信号を，周知のＢＭＬブラウザによりリアルタイムに生成されたデジタル表示信号，又は，記憶手段（ＲＡＭ，メモリ）に一旦格納したコンテンツ情報を読み出した上で処理することにより生成されたデジタル表示信号，のいずれかに基づいて作成された，処理後のデジタル表示信号（ビットマップデータ）とすることは容易である。 
　 
　また，刊行物記載発明において，データ処理手段（ＡＳＩＣ−ＣＰＵ）からＨＴＭＬコンテンツ情報を受信したインターフェース手段Ａ１（プロセサ）がアナログのビデオ信号を生成する際には，ＨＴＭＬコンテンツ情報に基づいてデジタル表示信号（処理命令）を生成し，処理後のデジタル表示信号（ビットマップデータ）を生成し，さらにアナログビデオ信号への変換を行うことが明らかであり，また，ＨＴＭＬコンテンツ情報に基づく処理後のデジタル表示信号の生成を，データ処理手段，あるいはインターフェース手段Ａ１のどちらで実行させるかは，当業者が適宜選択すべき設計的事項であって（例えば，特開２００３−２８８２８６号公報の段落【００１８】〜【００３７】には，携帯ブラウザホンから，汎用表示装置に接続された中継装置へ，Ｗｅｂページの画面を表示するためのデータを転送する際に，携帯ブラウザホン側で展開されたビットマップデータを転送する実施形態と，ビットマップデータの生成起源となるＨＴＭＬ文書等自体を転送し，中継装置のブラウザでビットマップ展開する実施形態とが，選択可能であることが記載されている。），刊行物記載発明において，データ処理手段からインターフェース手段Ａ１へ送信する信号を，処理後のデジタル表示信号とすることは，当業者が容易に想到し得たことである。 
　 
　さらに，携帯機器の内蔵ディスプレイへ送信する表示信号と，外部ディスプレイへ接続される外部インターフェース手段へ送信する表示信号を，同一の手段から取り出して送信することは周知（例えば，上記特開２００３−２８８２８６号公報の段落【００２２】，【００３７】には，ビデオＲＡＭ（６ａ）に展開されたビットマップデータを，携帯ブラウザホン（１）が備えるＬＣＤ（４）と，汎用表示装置（３０）に結合された中継装置（２０）へ送信することが記載され，特開２００１−１９７１６７号公報の段落【０００８】〜【００１４】には，画像メモリ（２２）に記憶させた表示データ（ドットデータ）を，携帯電話機本体に設けられた簡易型液晶表示パネル（２３）と，ＣＲＴ表示器（２４）に接続されたモニタ端子（２５）へ送信することが記載されている。）であって，表示信号を内蔵ディスプレイと外部インターフェース手段の双方へ送信するか，内蔵ディスプレイと外部インターフェース手段のいずれか一方へ振り分けて送信するかは，当業者が適宜選択するべき設計的事項であるから，刊行物記載発明において，データ処理手段から，ディスプレイ制御手段Ａ及びインターフェース手段Ａ１へ送信されるデジタル表示信号を，表示信号生成手段が生成したデジタル表示信号に対して必要な処理を行った，又は，該デジタル表示信号に基づいて必要な処理を行った，「処理後の」デジタル表示信号とするとともに，「前記処理後のデジタル表示信号を，前記ディスプレイ制御手段Ａと前記インターフェース手段Ａ１の双方へ送信する，又は，前記ディスプレイ制御手段Ａと前記インターフェース手段Ａ１のいずれか一方へ振り分けて送信する機能を有」する「表示補助手段」を設けることは，当業者が容易になし得たことである。 
　 
　 
　そして，本願発明のように構成したことによる効果も，刊行物記載発明，及び周知技術から予測できる程度のものである。 
　 
　 
第７　むすび 
　 
　以上のとおり，本願発明は，刊行物に記載された発明，及び周知技術に基づいて，当業者が容易に発明をすることができたものであるから，特許法第２９条第２項の規定により特許を受けることができない。  
　 
　したがって，本願は，他の請求項について論及するまでもなく，拒絶すべきものである。　 
　 
　よって，結論のとおり審決する。